(57)【特許請求の範囲】
【請求項１】
ユーザ機器（ＵＥ）（１０１）のためのネットワーク接続をハンドリングするための、モビリティノード（４１０）により実行される方法であって、前記ＵＥ（１０１）は、３ＧＰＰ（Third  Generation  Partnership  Project）ネットワーク（４０１）への接続及び非３ＧＰＰネットワーク（１１５）への接続を介して同時に第１のゲートウェイ（４０８ａ）へ接続され、前記方法は、
前記ＵＥ（１０１）が他のロケーションへ移動したことを検出すること（５０２，６０２，７０２）と、
前記ＵＥ（１０１）が他のロケーションへ移動したことが検出された場合に、前記ＵＥ（１０１）の再配置先となるべき、前記他のロケーションの前記ＵＥ（１０１）により近い第２のゲートウェイ（４０８ｂ）を選択すること（５０３，６０２，７０２）と、
前記第１のゲートウェイ（４０８ａ）へ再配置情報を送信すること（５０４，６０３，６０４，７０３）と、
を含み、
前記再配置情報は、前記ＵＥ（１０１）のために前記第２のゲートウェイ（４０８ｂ）へのゲートウェイ再配置を要することを指し示し、前記ゲートウェイ再配置は、前記３ＧＰＰネットワーク（４０１）への前記接続及び前記非３ＧＰＰネットワーク（１１５）への前記接続の双方の非アクティブ化を含む、
方法。
【請求項２】
前記ＵＥ（１０１）へ、前記３ＧＰＰネットワーク（４０１）への前記接続を非アクティブ化するための３ＧＰＰ非アクティブ化命令を送信すること（５０６）、
をさらに含む、請求項１に記載の方法。
【請求項３】
前記ＵＥ（１０１）から、受信される前記３ＧＰＰ非アクティブ化命令の確認を受信すること（５０８）、
をさらに含む、請求項１〜２のいずれか１項に記載の方法。
【請求項４】
前記第１のゲートウェイ（４０８ａ）から、前記再配置情報が受信されたことの確認を受信すること（５０５，６０５，６０６，７０４）、
をさらに含む、請求項１〜３のいずれか１項に記載の方法。
【請求項５】
前記再配置情報が受信されたことの前記確認は、前記第１のゲートウェイ（４０８ａ）から、サービングゲートウェイ（ＳＧＷ）（１０５）を介して又はＧＧＳＮ（Gateway  General  packet  radio  service  Support  Node）を介して受信される、請求項４に記載の方法。
【請求項６】
前記再配置情報が受信されたことの前記確認は、サービングゲートウェイ（ＳＧＷ）（１０５）と前記第１のゲートウェイ（４０８ａ）との間のＧＴＰ（GPRS(General  packet  radio  service)  Tunneling  Protocol）セッション削除応答メッセージ若しくはＰＭＩＰｖ６（Proxy  Mobile  Internet  Protocol  version  6）プロキシバインディング確認応答メッセージにおいて、及び、前記ＳＧＷ（１０５）と前記モビリティノード（４１０）との間のＧＴＰセッション削除応答メッセージにおいて受信され、又は、
前記再配置情報が受信されたことの前記確認は、前記第１のゲートウェイ（４０８ａ）と前記モビリティノード（４１０）との間のＰＤＰ（Packet  Data  Protocol）コンテキスト削除応答メッセージにおいて受信される、
請求項４〜５のいずれか１項に記載の方法。
【請求項７】
前記再配置情報は、前記第１のゲートウェイ（４０８ａ）へ、サービングゲートウェイ（ＳＧＷ）（１０５）を介して又はＧＧＳＮ（Gateway  General  packet  radio  service  Support  Node）を介して送信される、請求項１〜６のいずれか１項に記載の方法。
【請求項８】
前記再配置情報は、前記モビリティノード（４１０）とサービングゲートウェイ（ＳＧＷ）（１０５）との間のＧＴＰ（GPRS(General  packet  radio  service)  Tunneling  Protocol）セッション削除要求メッセージ内に、及び、前記ＳＧＷ（１０５）と前記第１のゲートウェイ（４０８ａ）との間のＧＴＰセッション削除要求メッセージ若しくはプロキシバインディング更新メッセージ内に含まれ、又は、
前記再配置情報は、前記モビリティノード（４１０）と前記第１のゲートウェイ（４０８ａ）との間のＰＤＰ（Packet  Data  Protocol）コンテキスト削除要求内に含まれる、
請求項１〜７のいずれか１項に記載の方法。
【請求項９】
前記再配置情報は、情報エレメント（ＩＥ）又は原因コード（ＣＣ）である、請求項１〜８のいずれか１項に記載の方法。
【請求項１０】
前記非アクティブ化は、前記３ＧＰＰネットワーク（４０１）への前記接続の再アクティブ化を要する、請求項１〜９のいずれか１項に記載の方法。
【請求項１１】
前記ＵＥ（１０１）及び前記第１のゲートウェイ（４０８ａ）は、ＩＦＯＭ（Internet  Protocol  Flow  Mobility）又はＮＢ−ＩＦＯＭ（Network  Based-IFOM）をサポートする、請求項１〜１０のいずれか１項に記載の方法。
【請求項１２】
前記非３ＧＰＰネットワーク（１１５）への前記ＵＥ（１０１）の接続は、ＤＳＭＩＰｖ６（Dual  Stack  Mobile  Internet  Protocol  version  6）解放手続で非アクティブ化される、請求項１〜１１のいずれか１項に記載の方法。
【請求項１３】
前記ＵＥ（１０１）のＩＰ（Internet  Protocol）アドレスは、前記ＤＳＭＩＰｖ６解放手続のためのＨｏＡ（Home  of  Address）として使用され、前記ＩＰアドレスは、前記第１のゲートウェイ（４０８ａ）により前記ＵＥ（１０１）へ割り当てられる、請求項１２に記載の方法。
【請求項１４】
前記モビリティノード（４１０）は、モビリティ管理エンティティ（ＭＭＥ）若しくはＳＧＳＮ（Serving  General  packet  radio  service  Support  Node）、又はＭＭＥとＳＧＳＮとの組み合わせのノードである、請求項１〜１３のいずれか１項に記載の方法。
【請求項１５】
ユーザ機器（ＵＥ）（１０１）のためのネットワーク接続をハンドリングするための、第１のゲートウェイ（４０８ａ）により実行される方法であって、前記ＵＥ（１０１）は、３ＧＰＰ（Third  Generation  Partnership  Project）ネットワーク（４０１）への接続及び非３ＧＰＰネットワーク（１１５）への接続を介して同時に前記第１のゲートウェイ（４０８ａ）へ接続され、前記方法は、
モビリティノード（４１０）から、前記ＵＥ（１０１）のために第２のゲートウェイ（４０８ｂ）へのゲートウェイ再配置を要することを指し示す再配置情報を受信すること（５０４，６０３，６０４，７０３，１００１）と、
前記第１のゲートウェイ（４０８ａ）が同一のＰＤＮ（Packet  Data  Network）について３ＧＰＰ接続及び非３ＧＰＰ接続の双方を有するかを判定すること（５０９，１００３）と、
前記第１のゲートウェイ（４０８ａ）が３ＧＰＰ接続及び非３ＧＰＰ接続の双方を有する場合に、受信される前記再配置情報に基づいて、前記非３ＧＰＰネットワーク（１１５）への前記接続が非アクティブ化されるべきであるかを判定すること（５１０，１００４）と、
前記ＵＥ（１０１）へ、前記ＵＥ（１０１）の前記非３ＧＰＰネットワーク（１１５）への接続を非アクティブ化するための非３ＧＰＰ非アクティブ化命令を送信すること（５１１，６０７，７０５，１００５）と、
を含む方法。
【請求項１６】
前記モビリティノード（４１０）へ、前記再配置情報が受信されたという再配置情報確認を送信すること（５０５，６０５，６０６，７０４，１００２）、
をさらに含む、請求項１５に記載の方法。
【請求項１７】
前記再配置情報確認は、前記モビリティノード（４１０）へ、サービングゲートウェイ（ＳＧＷ）（１０５）を介して又はＧＧＳＮ（Gateway  General  packet  radio  service  Support  Node）を介して送信される、請求項１６に記載の方法。
【請求項１８】
前記再配置情報確認は、前記第１のゲートウェイ（４０８ａ）とサービングゲートウェイ（ＳＧＷ）（１０５）との間のセッション削除応答メッセージ若しくはプロキシバインディング確認応答メッセージにおいて、及び、前記ＳＧＷ（１０５）と前記モビリティノード（４１０）との間のセッション削除応答メッセージにおいて送信され、又は、
前記再配置情報確認は、前記第１のゲートウェイ（４０８ａ）と前記モビリティノード（４１０）との間のＰＤＰ（Packet  Data  Protocol）コンテキスト削除応答メッセージにおいて送信される、
請求項１６〜１７のいずれか１項に記載の方法。
【請求項１９】
前記再配置情報は、前記モビリティノード（４１０）から、サービングゲートウェイ（ＳＧＷ）（１０５）を介して又はＧＧＳＮ（Gateway  General  packet  radio  service  Support  Node）を介して受信される、請求項１５〜１８のいずれか１項に記載の方法。
【請求項２０】
前記再配置情報は、前記モビリティノード（４１０）とサービングゲートウェイ（ＳＧＷ）（１０５）との間のＧＴＰ（GPRS(General  packet  radio  service)  Tunneling  Protocol）セッション削除要求メッセージ内に、及び、前記ＳＧＷ（１０５）と前記第１のゲートウェイ（４０８ａ）との間のＧＴＰセッション削除要求メッセージ若しくはＰＭＩＰｖ６（Proxy  Mobile  Internet  Protocol  version  6）プロキシバインディング更新メッセージ内に含まれ、又は、
前記再配置情報は、前記モビリティノード（４１０）と前記第１のゲートウェイ（４０８ａ）との間のＰＤＰ（Packet  Data  Protocol）コンテキスト削除要求内に含まれる、
請求項１５〜１９のいずれか１項に記載の方法。
【請求項２１】
前記再配置情報は、情報エレメント（ＩＥ）又は原因コード（ＣＣ）である、請求項１５〜２０のいずれか１項に記載の方法。
【請求項２２】
前記非３ＧＰＰ非アクティブ化命令は、バインディング取消指示メッセージにおいて送信される、請求項１５〜２１のいずれか１項に記載の方法。
【請求項２３】
前記ＵＥ（１０１）から、前記非３ＧＰＰネットワーク（１１５）への前記接続が非アクティブ化されたという非３ＧＰＰ非アクティブ化確認を受信すること（５１３，６０８，７０６，１００６）、
をさらに含む、請求項１５〜２２のいずれか１項に記載の方法。
【請求項２４】
前記非３ＧＰＰ非アクティブ化確認は、バインディング取消確認応答メッセージにおいて受信される、請求項２３に記載の方法。
【請求項２５】
前記非３ＧＰＰネットワーク（１１５）への前記ＵＥ（１０１）の接続は、ＤＳＭＩＰｖ６（Dual  Stack  Mobile  Internet  Protocol  version  6）解放手続で非アクティブ化される、請求項１５〜２４のいずれか１項に記載の方法。
【請求項２６】
前記ＵＥ（１０１）のＩＰ（Internet  Protocol）アドレスは、前記ＤＳＭＩＰｖ６解放手続のためのＨｏＡ（Home  of  Address）として使用され、前記ＩＰアドレスは、前記第１のゲートウェイ（４０８ａ）により前記ＵＥ（１０１）へ割り当てられる、請求項２５に記載の方法。
【請求項２７】
前記第１のゲートウェイ（４０８ａ）は、スタンドアローンのＨＡ（Home  Agent）、ＨＡとＰＧＷ（Packet  data  network  GateWay）との組み合わせ、又はＨＡとＧＧＳＮ（Gateway  General  packet  radio  service  Support  Node）との組み合わせである、請求項１５〜２６のいずれか１項に記載の方法。
【請求項２８】
前記ＵＥ（１０１）及び第１のゲートウェイ（４０８ａ）は、ＩＦＯＭ（Internet  Protocol  Flow  Mobility）又はＮＢ−ＩＦＯＭ（Network  Based-IFOM）をサポートする、請求項１５〜２７のいずれか１項に記載の方法。
【請求項２９】
ユーザ機器（ＵＥ）（１０１）のためのネットワーク接続をハンドリングするためのモビリティノード（４１０）であって、前記ＵＥ（１０１）は、３ＧＰＰ（Third  Generation  Partnership  Project）ネットワーク（４０１）への接続及び非３ＧＰＰネットワーク（１１５）への接続を介して同時に第１のゲートウェイ（４０８ａ）へ接続されるように適合され、前記モビリティノード（４１０）は、
前記ＵＥ（１０１）が他のロケーションへ移動したことを検出し、
前記ＵＥ（１０１）が他のロケーションへ移動したことが検出された場合に、前記ＵＥ（１０１）の再配置先となるべき、前記他のロケーションの前記ＵＥ（１０１）により近い第２のゲートウェイ（４０８ｂ）を選択し、
前記第１のゲートウェイ（４０８ａ）へ再配置情報を送信する、
ように適合され、
前記再配置情報は、前記ＵＥ（１０１）のために前記第２のゲートウェイ（４０８ｂ）へのゲートウェイ再配置を要することを指し示し、前記ゲートウェイ再配置は、前記３ＧＰＰネットワーク（４０１）への前記接続及び前記非３ＧＰＰネットワーク（１１５）への前記接続の双方の非アクティブ化を含む、
モビリティノード（４１０）。
【請求項３０】
前記ＵＥ（１０１）へ、前記３ＧＰＰネットワーク（４０１）への前記接続を非アクティブ化するための３ＧＰＰ非アクティブ化命令を送信する、
ようにさらに適合される、請求項２９に記載のモビリティノード（４１０）。
【請求項３１】
前記ＵＥ（１０１）から、受信される前記３ＧＰＰ非アクティブ化命令の３ＧＰＰ非アクティブ化確認を受信する、
ようにさらに適合される、請求項２９〜３０のいずれか１項に記載のモビリティノード（４１０）。
【請求項３２】
前記第１のゲートウェイ（４０８ａ）から、前記再配置情報が受信されたという再配置情報確認を受信する、
ようにさらに適合される、請求項２９〜３１のいずれか１項に記載のモビリティノード（４１０）。
【請求項３３】
前記再配置情報確認は、前記第１のゲートウェイ（４０８ａ）から、サービングゲートウェイ（ＳＧＷ）（１０５）を介して又はＧＧＳＮ（Gateway  General  packet  radio  service  Support  Node）を介して受信される、請求項３２に記載のモビリティノード（４１０）。
【請求項３４】
前記再配置情報確認は、サービングゲートウェイ（ＳＧＷ）（１０５）と前記第１のゲートウェイ（４０８ａ）との間のＧＴＰ（GPRS(General  packet  radio  service)  Tunneling  Protocol）セッション削除応答メッセージ若しくはＰＭＩＰｖ６（Proxy  Mobile  Internet  Protocol  version  6）プロキシバインディング確認応答メッセージにおいて、及び、前記ＳＧＷ（１０５）と前記モビリティノード（４１０）との間のＧＴＰセッション削除応答メッセージにおいて受信され、又は、
前記再配置情報確認は、前記第１のゲートウェイ（４０８ａ）と前記モビリティノード（４１０）との間のＰＤＰ（Packet  Data  Protocol）コンテキスト削除応答メッセージにおいて受信される、
請求項３２〜３３のいずれか１項に記載のモビリティノード（４１０）。
【請求項３５】
前記再配置情報は、前記第１のゲートウェイ（４０８ａ）へ、サービングゲートウェイ（ＳＧＷ）（１０５）を介して又はＧＧＳＮ（Gateway  General  packet  radio  service  Support  Node）を介して送信される、請求項２９〜３４のいずれか１項に記載のモビリティノード（４１０）。
【請求項３６】
前記再配置情報は、前記モビリティノード（４１０）とサービングゲートウェイ（ＳＧＷ）（１０５）との間のＧＴＰ（GPRS(General  packet  radio  service)  Tunneling  Protocol）セッション削除要求メッセージ内に、及び、前記ＳＧＷ（１０５）と前記第１のゲートウェイ（４０８ａ）との間のＧＴＰセッション削除要求メッセージ若しくはプロキシバインディング更新メッセージ内に含まれ、又は、
前記再配置情報は、前記モビリティノード（４１０）と前記第１のゲートウェイ（４０８ａ）との間のＰＤＰ（Packet  Data  Protocol）コンテキスト削除要求内に含まれる、
請求項２９〜３５のいずれか１項に記載のモビリティノード（４１０）。
【請求項３７】
前記再配置情報は、情報エレメント（ＩＥ）又は原因コード（ＣＣ）である、請求項２９〜３６のいずれか１項に記載のモビリティノード（４１０）。
【請求項３８】
前記非アクティブ化は、前記３ＧＰＰネットワーク（４０１）への前記接続の再アクティブ化を要する、請求項２９〜３７のいずれか１項に記載のモビリティノード（４１０）。
【請求項３９】
前記ＵＥ（１０１）及び前記第１のゲートウェイ（４０８ａ）は、ＩＦＯＭ（Internet  Protocol  Flow  Mobility）又はＮＢ−ＩＦＯＭ（Network  Based-IFOM）をサポートする、請求項２９〜３８のいずれか１項に記載のモビリティノード（４１０）。
【請求項４０】
前記非３ＧＰＰネットワーク（１１５）への前記ＵＥ（１０１）の接続は、ＤＳＭＩＰｖ６（Dual  Stack  Mobile  Internet  Protocol  version  6）解放手続で非アクティブ化される、請求項２９〜３９のいずれか１項に記載のモビリティノード（４１０）。
【請求項４１】
前記ＵＥ（１０１）のＩＰ（Internet  Protocol）アドレスは、前記ＤＳＭＩＰｖ６解放手続のためのＨｏＡ（Home  of  Address）として使用され、前記ＩＰアドレスは、前記第１のゲートウェイ（４０８ａ）により前記ＵＥ（１０１）へ割り当てられる、請求項４０に記載のモビリティノード（４１０）。
【請求項４２】
前記モビリティノード（４１０）は、モビリティ管理エンティティ（ＭＭＥ）若しくはＳＧＳＮ（Serving  General  packet  radio  service  Support  Node）、又はＭＭＥとＳＧＳＮとの組み合わせのノードである、請求項２９〜４１のいずれか１項に記載のモビリティノード（４１０）。
【請求項４３】
ユーザ機器（ＵＥ）（１０１）のためのネットワーク接続をハンドリングするための第１のゲートウェイ（４０８ａ）であって、前記ＵＥ（１０１）は、３ＧＰＰ（Third  Generation  Partnership  Project）ネットワーク（４０１）への接続及び非３ＧＰＰネットワーク（１１５）への接続を介して同時に前記第１のゲートウェイ（４０８ａ）へ接続されるように適合され、前記第１のゲートウェイ（４０８ａ）は、
モビリティノード（４１０）から、前記ＵＥ（１０１）のために第２のゲートウェイ（４０８ｂ）へのゲートウェイ再配置を要することを指し示す再配置情報を受信し、
前記第１のゲートウェイ（４０８ａ）が同一のＰＤＮ（Packet  Data  Network）について３ＧＰＰ接続及び非３ＧＰＰ接続の双方を有するかを判定し、
前記第１のゲートウェイ（４０８ａ）が３ＧＰＰ接続及び非３ＧＰＰ接続の双方を有する場合に、受信される前記再配置情報に基づいて、前記非３ＧＰＰネットワーク（１１５）への前記接続が非アクティブ化されるべきであるかを判定し、
前記ＵＥ（１０１）へ、前記ＵＥ（１０１）の前記非３ＧＰＰネットワーク（１１５）への接続を非アクティブ化するための非３ＧＰＰ非アクティブ化命令を送信する、
ように適合される、第１のゲートウェイ（４０８ａ）。
【請求項４４】
前記モビリティノード（４１０）へ、前記再配置情報が受信されたという再配置情報確認を送信する、
ようにさらに適合される、請求項４３に記載の第１のゲートウェイ（４０８ａ）。
【請求項４５】
前記再配置情報確認は、前記モビリティノード（４１０）へ、サービングゲートウェイ（ＳＧＷ）（１０５）を介して又はＧＧＳＮ（Gateway  General  packet  radio  service  Support  Node）を介して送信される、請求項４４に記載の第１のゲートウェイ（４０８ａ）。
【請求項４６】
前記再配置情報確認は、前記第１のゲートウェイ（４０８ａ）とサービングゲートウェイ（ＳＧＷ）（１０５）との間のセッション削除応答メッセージ若しくはプロキシバインディング確認応答メッセージにおいて、及び、前記ＳＧＷ（１０５）と前記モビリティノード（４１０）との間のセッション削除応答メッセージにおいて送信され、又は、
前記再配置情報確認は、前記第１のゲートウェイ（４０８ａ）と前記モビリティノード（４１０）との間のＰＤＰ（Packet  Data  Protocol）コンテキスト削除応答メッセージにおいて送信される、
請求項４４〜４５のいずれか１項に記載の第１のゲートウェイ（４０８ａ）。
【請求項４７】
前記再配置情報は、前記モビリティノード（４１０）から、サービングゲートウェイ（ＳＧＷ）（１０５）を介して又はＧＧＳＮ（Gateway  General  packet  radio  service  Support  Node）を介して受信される、請求項４３〜４６のいずれか１項に記載の第１のゲートウェイ（４０８ａ）。
【請求項４８】
前記再配置情報は、前記モビリティノード（４１０）とサービングゲートウェイ（ＳＧＷ）（１０５）との間のＧＴＰ（GPRS(General  packet  radio  service)  Tunneling  Protocol）セッション削除要求メッセージ内に、及び、前記ＳＧＷ（１０５）と前記第１のゲートウェイ（４０８ａ）との間のＧＴＰセッション削除要求メッセージ若しくはＰＭＩＰｖ６（Proxy  Mobile  Internet  Protocol  version  6）プロキシバインディング更新メッセージ内に含まれ、又は、
前記再配置情報は、前記モビリティノード（４１０）と前記第１のゲートウェイ（４０８ａ）との間のＰＤＰ（Packet  Data  Protocol）コンテキスト削除要求内に含まれる、
請求項４３〜４７のいずれか１項に記載の第１のゲートウェイ（４０８ａ）。
【請求項４９】
前記再配置情報は、情報エレメント（ＩＥ）又は原因コード（ＣＣ）である、請求項４３〜４８のいずれか１項に記載の第１のゲートウェイ（４０８ａ）。
【請求項５０】
前記非３ＧＰＰ非アクティブ化命令は、バインディング取消指示メッセージにおいて送信される、請求項４３〜４９のいずれか１項に記載の第１のゲートウェイ（４０８ａ）。
【請求項５１】
前記ＵＥ（１０１）から、前記非３ＧＰＰネットワーク（１１５）への前記接続が非アクティブ化されたという非３ＧＰＰ非アクティブ化確認を受信する、
ようにさらに適合される、請求項４３〜５０のいずれか１項に記載の第１のゲートウェイ（４０８ａ）。
【請求項５２】
前記非３ＧＰＰ非アクティブ化確認は、バインディング取消確認応答メッセージにおいて受信される、請求項５１に記載の第１のゲートウェイ（４０８ａ）。
【請求項５３】
前記非３ＧＰＰネットワーク（１１５）への前記ＵＥ（１０１）の接続は、ＤＳＭＩＰｖ６（Dual  Stack  Mobile  Internet  Protocol  version  6）解放手続で非アクティブ化される、請求項４３〜５２のいずれか１項に記載の第１のゲートウェイ（４０８ａ）。
【請求項５４】
前記ＵＥ（１０１）のＩＰ（Internet  Protocol）アドレスは、前記ＤＳＭＩＰｖ６解放手続のためのＨｏＡ（Home  of  Address）として使用され、前記ＩＰアドレスは、前記第１のゲートウェイ（４０８ａ）により前記ＵＥ（１０１）へ割り当てられる、請求項５３に記載の第１のゲートウェイ（４０８ａ）。
【請求項５５】
前記第１のゲートウェイ（４０８ａ）は、スタンドアローンのＨＡ（Home  Agent）、ＨＡとＰＧＷ（Packet  data  network  GateWay）との組み合わせ、又はＨＡとＧＧＳＮ（Gateway  General  packet  radio  service  Support  Node）との組み合わせである、請求項４３〜５４のいずれか１項に記載の第１のゲートウェイ（４０８ａ）。
【請求項５６】
前記ＵＥ（１０１）及び第１のゲートウェイ（４０８ａ）は、ＩＦＯＭ（Internet  Protocol  Flow  Mobility）又はＮＢ−ＩＦＯＭ（Network  Based-IFOM）をサポートする、請求項４３〜５５のいずれか１項に記載の第１のゲートウェイ（４０８ａ）。
【請求項５７】
少なくとも１つのプロセッサ上で実行された場合に、前記少なくとも１つのプロセッサに、請求項１〜１４のいずれか１項に記載の方法を遂行させる命令、を含むモビリティコンピュータプログラム。
【請求項５８】
請求項５７のモビリティコンピュータプログラムを含むコンピュータ読取可能な記憶媒体。
【請求項５９】
少なくとも１つのプロセッサ上で実行された場合に、前記少なくとも１つのプロセッサに、請求項１５〜２８のいずれか１項に記載の方法を遂行させる命令、を含むゲートウェイコンピュータプログラム。
【請求項６０】
請求項５９のゲートウェイコンピュータプログラムを含むコンピュータ読取可能な記憶媒体。
【発明の詳細な説明】
【技術分野】
【０００１】
ここでの実施形態は、概して、モビリティノード、モビリティノードにより実行される方法、第１のゲートウェイ、及び第１のゲートウェイにより実行される方法に関連する。より具体的には、ここでの実施形態は、ユーザ機器（ＵＥ）のためのネットワーク接続をハンドリングすることに関連する。
【背景技術】
【０００２】
現在のところ、３ＧＰＰ（Third  Generation  Partnership  Project）により定義されたデータオフローディングに関連するいくつかの方法が存在する：ＬＩＰＡ（Local  Internet  Protocol  Access）、ＳＩＰＴＯ（Selected  Internet  Protocol  Traffic  Offload）及びＩＦＯＭ（Internet  Protocol  Flow  Mobility）。
【０００３】
ＩＦＯＭは、ＵＥが３ＧＰＰネットワーク及びＷｉＦｉネットワーク上で同時に同じＰＤＮ（Packet  Data  Network）接続とのデータセッションを有する方法である。ＰＤＮ接続は、ＩＰ（Internet  Protocol）アドレスにより表現されるＵＥとＰＤＮとの間の関連付けである。ＰＤＮは、ＡＰＮ（Access  Point  Name）により識別される。そのシナリオに基づいて、ＵＥは、データを効果的にオフロードするように、いずれかのネットワークアクセス上のデータセッションを追加し又は削除できるであろう。データオフロードは、ＬＩＰＡ及びＳＩＰＴＯにおいてＵＥにとって大幅に透過的であるのに対し、ＩＦＯＭにおいてはデータをオフロードするロジックはよりＵＥ中心的であり且つ無線アクセスネットワーク（ＲＡＮ）にとって大幅に透過的である。ネットワークベースＩＦＯＭ（ＮＢ−ＩＦＯＭ、ＮＢＩＦＯＭ）は、ネットワークベースのモビリティプロトコルを用いる（例えば、Ｓ２ａ及びＳ２ｂインタフェース上ではＧＴＰ（General  packet  radio  service  Tunneling  Protocol）モビリティを介し、且つＰＭＩＰ（Proxy  Mobile  IPv6）モビリティ手続を用いる）ＩＰフローモビリティに関連する、ＩＦＯＭの一変種である。ネットワークベースＩＦＯＭは、ＤＳＭＩＰ（Dual-stack  Mobile  IPv6）手続を介するＳ２ｃインタフェースに関連するクライアントベースＩＦＯＭとは逆である。
【０００４】
ＳＩＰＴＯは、ホーム（拡張）ＮｏｄｅＢ（Ｈ（ｅ）ＮＢ）又はセルラーネットワーク上のＩＰトラフィックの一部を、システム上の負荷を低減する目的でローカルネットワークへオフロードする方法である。ターゲットとなるネットワークエンティティは、Ｈ（ｅ）ＮＢ、又はＵＥの地理的に近くに位置するセルラーネットワーク内の他のゲートウェイであり得る。ＳＩＰＴＯは、ＵＥモビリティのようなイベント、トラフィックの集中をもたらす特殊な機会、又は他のネットワークルールによりトリガされ得る。ＳＩＰＴＯの基本的なアイディアは、（第４世代（４Ｇ）及び第３世代（３Ｇ）のネットワークの双方について）無線ネットワーク及びモビリティ管理エンティティ（ＭＭＥ）に対しトポロジー的に及び地理的に近くにいるサービングゲートウェイ（ＳＧＷ）及びＰＤＮゲートウェイ（ＰＧＷ）を選択すること、並びに、それらを使用してデータをオフロードすることである。
【０００５】
図１は、ＩＦＯＭの一例を示している。図１は、ＥＰＣコアネットワーク１００ａを示している。ＥＰＣは、拡張パケットコア（Evolved  Packet  Core）の短縮形である。図１において、ＵＥ１０１は、ＥＰＣコアネットワーク１００ａ内の基地局１０３によりサービスされる、ように適合される。
【０００６】
ＵＥ１０１は、事業者のネットワークにより提供されるサービスへ、並びに、事業者の無線アクセスネットワーク及びコアネットワークがアクセスを提供する事業者ネットワーク外のサービス（例えば、インターネットへのアクセス）へ、加入者がアクセスし得る手段となるデバイスであり得る。ＵＥ１０１は、移動型であれ固定型であれ、通信ネットワークにおいて通信することを可能とされるいかなるデバイスであってもよく、例えば、限定ではないものの、ユーザ機器、モバイルフォン、スマートフォン、センサ、メータ、車両、家庭電化製品、医療用電化製品、メディアプレーヤ、カメラ、Ｍ２Ｍ（Machine  to  Machine）デバイス、Ｄ２Ｄ（Device  to  Device）デバイス、ＩｏＴ（Internet  of  Things）デバイス又は任意のタイプの消費者家電であり、消費者家電とは、例えば、限定ではないものの、テレビジョン、ラジオ、照明器具、タブレットコンピュータ、ラップトップ又はＰＣ（Personal  Computer）である。ＵＥ１０１は、他のＵＥ又はサーバといった他のエンティティとの間で、無線アクセスネットワークを介して音声及び／又はデータを通信することを可能にされる、ポータブルな、ポケット収容型の、手持ち型の、コンピュータ内蔵型の、又は車載型のデバイスであってもよい。
【０００７】
基地局１０３は、３ＧＰＰネットワークを表し得る。基地局１０３は、使用される技術及び専門用語に依存して、例えば、拡張ＮｏｄｅＢ（ｅＮＢ）、ｅＮｏｄｅＢ、ＮｏｄｅＢ、Ｂノード、無線基地局（ＲＢＳ）、基地送受信局（ＢＴＳ）、無線ネットワークコントローラ（ＲＮＣ）として言及されてもよい。基地局１０３は、基地局１０３のレンジの範囲内で、ＵＥ１０１と無線周波数上で動作するエアインタフェース上で通信するように適合される。
【０００８】
ＥＰＣコアネットワーク１００ａは、ＳＧＷ１０５、ＰＧＷ１０８及びＭＭＥ１１０といったコアネットワークノードを含む。ＥＰＣコアネットワーク１００ａは、図１に示していない追加的なコアネットワークノードを含んでもよい。基地局１０３は、ＳＧＷ１０５及びＭＭＥ１１０の双方へ接続される、ように適合される。ＭＭＥ１１０及びＳＧＷ１０５は、互いに接続される、ように適合される。ＳＧＷ１０５は、ＰＧＷ１０８へ接続される、ように適合される。
【０００９】
ＳＧＷ１０５は、例えばユーザデータパケットをルーティングし及び転送するように適合されるゲートウェイである一方で、インターｅＮＢハンドオーバの期間中のユーザプレーン向けのモビリティアンカとして、及び、ＬＴＥ（Long  Term  Evolution）と他の３ＧＰＰ技術との間のモビリティ向けのアンカとしても動作する。
【００１０】
ＰＧＷ１０８は、ＰＤＮ（図１には示していない）へ向けてのインタフェースを終端するゲートウェイである。ＵＥ１０１が複数のＰＤＮへアクセスする場合、そのＵＥ１０１に対し１つよりも多くのＰＧＷ１０８が存在するかもしれない。ＰＧＷ１０８の機能は、例えば、ＵＥ１０１向けのトラフィックの出口及び入口ポイントとなることによるＵＥ１０１から外部ＰＤＮへの接続性の提供、ポリシー施行の実行、各ユーザ向けのパケットフィルタリング、課金サポート、合法的傍受、並びにパケットスクリーニングなどである。ＰＧＷ１０８は、ホームエージェント（ＨＡ）と共設されてもよい。このことは、ＨＡの機能性がＰＧＷ１０８内に実装されるという形で説明されてもよい。そうした共設ノードは、ＨＡ／ＰＧＷとして言及され得る。３ＧＰＰによれば、ＨＡは、ＵＥ１０１のホームネットワーク上のモバイルＩＰｖ４（Internet  Protocol  version  4）ルータであり、ＵＥ１０１が訪問先ネットワーク上に登録を有する間、ＵＥ１０１へのデリバリのためにデータグラムをトンネリングする。上で言及したＨＡとの用語は、ＵＥ１０１の現行のロケーションに関する情報を維持するルータとして説明されてもよい。参照番号１０８は、共設されるＨＡ／ＰＧＷへ言及するためにも使用されることになる。ＨＡ／ＰＧＷ１０８のＰＧＷ部分又はスタンドアローンのＰＧＷ１０８は、３ＧＰＰアクセスと非３ＧＰＰアクセス１１５との間のアンカとして動作するように構成されるゲートウェイ又はゲートウェイ機能性であり、ＵＥ１０１からＰＤＮなどへの接続性を提供する。
【００１１】
ＳＧＷ１０５及びＰＧＷ１０８は、１つの共通的な物理ノードにおいて実装されてもよく、又は複数の別個の物理ノードにおいて実装されてもよい。
【００１２】
ＭＭＥ１１０は、例えばＮＡＳ（Non-Access  Stratum）シグナリング、３ＧＰＰアクセスネットワーク間のモビリティのためのインターＣＮ（Core  Network）ノードシグナリング、ＵＥリーチャビリティ、ＴＡ（Tracking  Area）リスト管理、ＰＧＷ及びＳＧＷの選択、ＭＭＥ変更を伴うハンドオーバのためのＭＭＥの選択などといった機能を有するコアネットワークノードである。ＭＭＥ１１０は、スタンドアローンのＭＭＥノードであってもよく、又は、ＭＭＥとＳＧＳＮ（Serving  General  packet  radio  service  Support  Node）ノードとの組み合わせ、即ちＭＭＥ及びＳＧＳＮが共設されるノードであってもよい。これ以降、略語であるＭＭＥは、スタンドアローンＭＭＥ又はＭＭＥとＳＧＳＮノードとの組み合わせへの言及であり得る。参照番号１１０は、スタンドアローンＭＭＥへ、及びＭＭＥとＳＧＳＮノードとの組み合わせへ言及するために使用される。
【００１３】
図１は、非３ＧＰＰネットワーク１１５をも示している。非３ＧＰＰネットワーク１１５（又は非３ＧＰＰネットワーク１１５内のノード）は、ＥＰＣコアネットワーク１００ａ内のＰＧＷ１０８へ接続されるように適合されてよく、即ち、ＰＧＷ１０８は、ＳＧＷ１０５及び非３ＧＰＰネットワーク１１５の双方へ接続するように適合される。非３ＧＰＰネットワーク１１５は、例えば、ＷｉＭＡＸネットワーク、ＣＤＭＡ２０００ネットワーク、ＷＬＡＮ（Wireless  Local  Area  Network）又は固定ネットワークであってもよい。非３ＧＰＰネットワーク１１５は、トラステッドであってもよく又は非トラステッドであってもよい。非３ＧＰＰネットワーク１１５のトラステッドバージョン及び非トラステッドバージョンは、後により詳細に説明されるであろう。
【００１４】
図１に見える２つの矢印は、ＵＥ１０１向けのＰＤＮ接続を表現している。左側の矢印は３ＧＰＰネットワークを介するＰＤＮ接続を表し、右の矢印は非３ＧＰＰネットワーク１１５を介するＰＤＮ接続を表す。３ＧＰＰネットワークを介するＰＤＮ接続及び非３ＧＰＰネットワーク１１５を介するＰＤＮ接続の双方は、同一のＡＰＮ向けである。
【００１５】
図２は、ＳＩＰＴＯの一例を示している。図２に描いたように、マクロネットワーク１００ｂにおけるＳＩＴＰＯは、ＵＥ１０１の通常のＰＤＮ接続のそれと比較すると、あるサービス向けの異なる複数のデータパスを有し得る。マクロネットワーク１００ｂは、高電力基地局によりサービスされる無線カバレッジを提供するネットワークとして説明されてよい。例えば、マクロネットワーク１００ｂは、マイクロネットワークよりも大きいカバレッジを提供する。図２は、１つ以上のコアネットワークノードを含むＥＰＣコアネットワーク１００ａをも示している。図２において、ＵＥ１０１は、マクロネットワーク１００ｂ内の基地局１０３によりサービスされるように適合される。図２における基地局１０３は、例えば高電力基地局であってよい。ＵＥ１０１と基地局１０３との間のインタフェースを、ＬＴＥ−Ｕｕインタフェースという。基地局１０３は、Ｓ１−Ｕインタフェースを介して、ＳＧＷ１０５を介してＥＰＣコアネットワーク１００ａへ接続される。ＳＧＷ１０５は、２つのＰＧＷ、即ちＰＧＷ１０８ａ及びＰＧＷ１０８ｂへそれぞれのＳ５インタフェースを介して接続されるように適合される。ＳＧｉは、ＰＧＷ１０８ａの各々と、外部のＰＤＮノード（図２には示していない）との間のインタフェースである。ａ又はｂを除いた参照番号１０８は、それら２つのＰＧＷのうちの任意のものへの言及である。
【００１６】
ＳＧＷ１０５は、ＭＭＥ１１０へＳ１１インタフェースを介して接続されるようにも適合される。ＭＭＥ１１０は、Ｓ１−ＭＭＥインタフェースを介して基地局１０３へ接続されるようにも適合される。ＳＧＷ１０５、ＰＧＷ１０８ａ、ＰＧＷ１０８ｂ及びＭＭＥ１１０は、ＥＰＣコアネットワーク１００ａ内に含まれるコアネットワークノードである。通常のデータパスは、図２において実線の矢印で示されており、ＰＧＷ２  １０８ｂを介して進むデータパスである。ＳＩＰＴＯデータパスは、図２において点線の矢印で示されており、ＰＧＷ１  １０８ａを介して進むデータパスである。
【００１７】
ＵＥ１０１が３ＧＰＰアクセスへ接続していて、ＰＬＭＮ（Public  Land  Mobile  Networks）内／間で移動している場合には、ＥＰＣコアネットワーク（例えば、ＳＧＳＮ／ＭＭＥ１１０又はＥＰＣコアネットワーク１００ａ内の何らかの他の適したノード）がＰＧＷ１０８を再配置するように決定することも可能である。例えば中国におけるいくつかの事業者は、それらの国内ローミング（national  roaming）加入者のためにそうした種類の“ローカルブレイクアウト”を要する。ＰＤＮの切断はＳＩＰＴＯに類似するが、ＰＧＷ１０８を変更する決定は実装固有である。ＰＧＷ１０８を変更することにより、ＵＥ１０１は、より良好なユーザプレーン最適化（例えば、ＵＥ１０１のロケーションのより近くのＰＧＷ１０８）を有することができ、正確なダイヤリングプラン及びＶｏＬＴＥ（Voice  over  LTE）呼向けの課金をも伴う。
【００１８】
ＳＧＳＮ／ＭＭＥ１１０は、ＵＥ１０１についてＰＧＷ１０８を再配置することを決定するとすぐに、ＵＥ１０１へ（再アクティブ化を要する）ＰＤＮ非アクティブ化要求（PDN  Deactivation  Request）メッセージ又は（再アタッチを要する）デタッチ（Detach）メッセージを送信する。それにより、ＵＥ１０１は、標準により規定されている通りに、ＥＰＣへのＰＤＮ接続、即ち３ＧＰＰへの接続を再確立することになり、そして新たなＰＧＷ１０８が使用されることになる。
【００１９】
図３は、ＵＥ１０１があるロケーションから他のロケーションへ移動する際のＰＧＷ１０８の再配置（relocation）を描いている。ＵＥ１０１は、基地局１０３ａによりサービスされている状態から、基地局１０３ｂによりサービスされている状態へ移る。文字ａ及びｂの無い参照番号１０３は、それら基地局のうちの任意のものへの言及である。双方の基地局１０３ａ、１０３ｂは、ＥＰＣコアネットワーク１００ａ内の同一のＭＭＥ１１０へ接続されている。ＵＥ１０１が移動する前には、データ送信のためにＰＧＷ１  １０８ａが使用される。移動の前のデータパスは、図３において点線の矢印で示されている。ＵＥ１０１が移動した後、最適化されたデータ送信のために、ＰＧＷ２  １０８ｂ（ＰＧＷ２  １０８ｂは、ＰＧＷ１  １０８ａと比較するとＵＥ１０１に対しトポロジー的／地理的により近くにある）が選択される。移動の後のデータパスは、図３において実線の矢印で示されている。
【００２０】
３ＧＰＰにより規定されているように、同一のＡＰＮに関連付けられるＵＥ１０１の全ての同時のアクティブなＰＤＮ接続は、同一のＰＧＷ１０８により提供されるものとされている。
【００２１】
ＥＰＣの文脈において非３ＧＰＰネットワーク１１５（トラステッド又は非トラステッド）及び３ＧＰＰネットワークの双方を利用するＵＥ１０１についてＩＦＯＭが使用され、且つＨＡがＰＧＷ１０８と共設されている場合、ＰＧＷ１０８の再配置（ＰＧＷ１０８は、他のアクセスのためにリソースを解放しない）は、同一のＡＰＮについて異なるＰＧＷ１０８が使用される状況をもたらすことになる。これは、どのアクセスネットワークが使用されるかに関わらずＰＧＷ１０８がＰＤＮネットワーク内のＩＰアンカポイントであることから、許容されない。従って、そうした盲目的なＰＧＷ再配置により、古いＰＧＷ１０８が依然として行き場の無い（hanging）リソースを有し、ＩＰアドレスの変化に起因して、ＵＥ１０１及び外部ＰＤＮのリモートサーバにおいて予期せぬ振る舞いが生じかねない。
【発明の概要】
【発明が解決しようとする課題】
【００２２】
ここでの実施形態の目的は、従って、ネットワーク接続の改善されたハンドリングを提供することである。
【課題を解決するための手段】
【００２３】
第１の観点によれば、上記目的は、ＵＥのためのネットワーク接続をハンドリングするための、モビリティノードにより実行される方法により達成される。上記ＵＥは、３ＧＰＰネットワークへの接続及び非３ＧＰＰネットワークへの接続を介して同時に第１のゲートウェイへ接続される。上記モビリティノードは、上記ＵＥが他のロケーションへ移動したことを検出する。上記ＵＥが他のロケーションへ移動したことが検出された場合に、上記モビリティノードは、上記ＵＥの再配置先となるべき第２のゲートウェイを選択する。上記第２のゲートウェイは、上記他のロケーションの上記ＵＥのより近くにある。上記モビリティノードは、上記第１のゲートウェイへ再配置情報を送信する。上記再配置情報は、上記ＵＥのために上記第２のゲートウェイへのゲートウェイ再配置を要することを指し示す。上記ゲートウェイ再配置は、上記３ＧＰＰネットワークへの上記接続及び上記非３ＧＰＰネットワークへの上記接続の双方の非アクティブ化を含む。
【００２４】
第２の観点によれば、上記目的は、ＵＥのためのネットワーク接続をハンドリングするための、第１のゲートウェイにより実行される方法により達成される。上記ＵＥは、３ＧＰＰネットワークへの接続及び非３ＧＰＰネットワークへの接続を介して同時に上記第１のゲートウェイへ接続される。上記第１のゲートウェイは、モビリティノードから再配置情報を受信する。上記再配置情報は、上記ＵＥのために第２のゲートウェイへのゲートウェイ再配置を要することを指し示す。上記モビリティノードは、上記第１のゲートウェイが同一のＰＤＮについて３ＧＰＰ接続及び非３ＧＰＰ接続の双方を有するかを判定する。上記第１のゲートウェイは、３ＧＰＰ接続及び非３ＧＰＰ接続の双方を有する場合に、受信される上記再配置情報に基づいて、上記非３ＧＰＰネットワークへの上記接続が非アクティブ化されるべきであるかを判定する。上記第１のゲートウェイは、上記ＵＥへ、その上記非３ＧＰＰネットワークへの接続を非アクティブ化するための非３ＧＰＰ非アクティブ化命令を送信する。
【００２５】
第３の観点によれば、上記目的は、ＵＥのためのネットワーク接続をハンドリングするためのモビリティノードにより達成される。上記ＵＥは、３ＧＰＰネットワークへの接続及び非３ＧＰＰネットワークへの接続を介して同時に第１のゲートウェイへ接続されるように適合される。上記モビリティノードは、上記ＵＥが他のロケーションへ移動したことが検出された場合に、上記ＵＥの再配置先となるべき第２のゲートウェイを選択する、ように適合される。上記第２のゲートウェイは、上記他のロケーションの上記ＵＥのより近くにある。上記モビリティノードは、上記第１のゲートウェイへ再配置情報を送信する、ようにさらに適合される。上記再配置情報は、上記ＵＥのために上記第２のゲートウェイへのゲートウェイ再配置を要することを指し示す。上記ゲートウェイ再配置は、上記３ＧＰＰネットワークへの上記接続及び上記非３ＧＰＰネットワークへの上記接続の双方の非アクティブ化を含む。
【００２６】
第４の観点によれば、上記目的は、ＵＥのためのネットワーク接続をハンドリングするための第１のゲートウェイにより達成される。上記ＵＥは、３ＧＰＰネットワークへの接続及び非３ＧＰＰネットワークへの接続を介して同時に上記第１のゲートウェイへ接続される、ように適合される。上記第１のゲートウェイは、モビリティノードから再配置情報を受信する、ように適合される。上記再配置情報は、上記ＵＥのために第２のゲートウェイへのゲートウェイ再配置を要することを指し示す。上記第１のゲートウェイは、上記第１のゲートウェイが同一のＰＤＮについて３ＧＰＰ接続及び非３ＧＰＰ接続の双方を有するかを判定する、ようにさらに適合される。上記第１のゲートウェイは、上記第１のゲートウェイが３ＧＰＰ接続及び非３ＧＰＰ接続の双方を有する場合に、受信される上記再配置情報に基づいて、上記非３ＧＰＰネットワークへの上記接続が非アクティブ化されるべきであるかを判定する、ように適合される。上記第１のゲートウェイは、上記ＵＥへ、その上記非３ＧＰＰネットワークへの接続を非アクティブ化するための非３ＧＰＰ非アクティブ化命令を送信する、ように適合される。
【発明の効果】
【００２７】
ＵＥのために第２のゲートウェイへのゲートウェイ再配置を要することを指し示す再配置情報から、モビリティノードは、３ＧＰＰネットワークへの接続を非アクティブ化すべきことを決定し、第１のゲートウェイは、非３ＧＰＰネットワークへの接続を非アクティブ化すべきことを決定する。よって、第１のゲートウェイは、ゲートウェイ再配置が行われる際に非３ＧＰＰネットワークへの行き場の無い接続を何ら有さず、それがネットワーク接続のハンドリングを改善する。
【００２８】
ここでの実施形態は多くの利点を賄い、その非網羅的な例のリストは次の通りである：
【００２９】
ＰＧＷを再配置する必要があり且つＩＦＯＭが使用されるケースにおける特性インタラクションが解決される。よって、最適化されたユーザプレーンを達成することができ、古いＰＧＷ及びそのピア内の潜在的に行き場の無いリソースを回避することができる。
【００３０】
ここでの実施形態の他の利点は、ＩＦＯＭ又はＮＢ−ＩＦＯＭをサポートする何らの既存のＵＥの修正も無く、コアネットワークのみがインパクトを受けることである。
【００３１】
ここでの実施形態は、上で言及した特徴及び利点に限定されない。当業者は、以下の詳細な説明を読んだ後に追加的な特徴及び利点を認識するであろう。
【図面の簡単な説明】
【００３２】
これ以降、実施形態を示す添付図面を参照することにより、以下の詳細な説明においてここでの実施形態がさらにより詳細に説明されるであろう。図面は次の通りである：
【００３３】
【図１】ＩＦＯＭの実施形態を示す概略ブロック図である。
【図２】マクロネットワーク内のＳＩＰＴＯの実施形態を示す概略ブロック図である。
【図３】ＵＥの移動の最中のＰＧＷの再配置の実施形態を示す概略ブロック図である。
【図４】ワイヤレス通信システムの実施形態を示す概略ブロック図である。
【図５ａ】方法の実施形態を示すシグナリング図である。
【図５ｂ】方法の実施形態を示すシグナリング図である。
【図６】方法の実施形態を示すシグナリング図である。
【図７】方法の実施形態を示すシグナリング図である。
【図８】モビリティノードにより実行される方法の実施形態を示すフローチャートである。
【図９】モビリティノードの実施形態を示す概略ブロック図である。
【図１０】第１のゲートウェイにより実行される方法の実施形態を示すフローチャートである。
【図１１】第１のゲートウェイの実施形態を示す概略ブロック図である。
【図１２】ＳＧＷにより実行される方法の実施形態を示すフローチャートである。
【図１３】モビリティノード、第１のゲートウェイ及びＳＧＷの実施形態を示す概略ブロック図である。
【００３４】
図面は必ずしも縮尺通りではなく、明確さのためにある特徴の大きさが誇張されているかもしれない。ここでの実施形態の原理を示すために、代わりに強調が施される。
【発明を実施するための形態】
【００３５】
図４は、ここでの実施形態が実装され得るワイヤレス通信システム４００を描いている。ワイヤレス通信システム４００は、ワイヤレス通信ネットワーク、通信システム、通信ネットワーク、ネットワーク又はシステムとしても言及され得る。
【００３６】
ワイヤレス通信システム４００は、３ＧＰＰネットワーク４０１及び非３ＧＰＰネットワーク１１５へ接続され及びアクセスする、ように適合される１つ以上のＵＥ１０１を含む。
【００３７】
ＵＥ１０１は、事業者のネットワークにより提供されるサービスへ、並びに、事業者の無線アクセスネットワーク及びコアネットワークがアクセスを提供する事業者ネットワーク外のサービス（例えば、インターネットへのアクセス）へ、加入者がアクセスし得る手段となるデバイスであり得る。ＵＥ１０１は、３ＧＰＰネットワーク４０１又は非３ＧＰＰアクセス１１５、又は３ＧＰＰネットワーク４０１及び非３ＧＰＰネットワーク１１５の双方により提供されるサービスへアクセスし得る。ＵＥ１０１は、移動型であれ固定型であれ、通信ネットワークにおいて通信することを可能とされるいかなるデバイスであってもよく、例えば、限定ではないものの、例えばユーザ機器、モバイルフォン、スマートフォン、センサ、メータ、車両、家庭電化製品、医療用電化製品、メディアプレーヤ、カメラ、Ｍ２Ｍデバイス、Ｄ２Ｄデバイス、ＩｏＴデバイス又は任意のタイプの消費者家電であり、消費者家電とは、例えば、限定ではないものの、テレビジョン、ラジオ、照明器具、タブレットコンピュータ、ラップトップ又はＰＣである。ＵＥ１０１は、他のＵＥ又はサーバといった他のエンティティとの間で、無線アクセスネットワークを介して音声及び／又はデータを通信することを可能にされる、ポータブルな、ポケット収容型の、手持ち型の、コンピュータ内蔵型の、又は車載型のデバイスであってもよい。
【００３８】
ＵＥ１０１は、例えば３ＧＰＰネットワーク４０１又は非３ＧＰＰネットワーク１１５など、アクセスネットワークのいずれかを用いて、ＣＮ又はコアネットワークノードへ到達し得る。
【００３９】
３ＧＰＰネットワーク４０１は、ＧＥＲＡＮ及びＵＴＲＡＮ、Ｅ−ＵＴＲＡＮ、若しくはＧＥＲＡＮ／ＵＴＲＡＮ及びＥ−ＵＴＲＡＮの双方、又は任意の他の３ＧＰＰ  ＲＡＮ技術を含んでよい。ＧＥＲＡＮ／ＵＴＲＡＮ及びＥ−ＵＴＲＡＮの各々は、ＲＡＮとして言及されてよい。ＧＥＲＡＮ／ＵＴＲＡＮ及びＥ−ＵＴＲＡＮの各々は、それぞれの基地局（図４には示していない）を含み得る。ＧＥＲＡＮは“GSM  EDGE  Radio  Access  Network”の短縮形であり、ＧＳＭは“Global  System  for  Mobile  communications”の短縮形であり、ＥＤＧＥは“Enhanced  Data  rates  for  Global  Evolution”の短縮形である。ＵＴＲＡＮは、“Universal  Terrestrial  Radio  Access  Network”の短縮形であり、Ｅ−ＵＴＲＡＮは“Evolved-UTRAN”の短縮形である。
【００４０】
基地局は、例えば、ＮｏｄｅＢ、ｅＮＢ、ＲＢＳ、ＢＴＳ、ＲＮＣ、又は、それぞれの基地局１０３のレンジ内にいるＵＥ１０１との間で無線キャリア上で通信可能な任意の他のネットワークユニットであってよい。基地局は、ＵＥ１０１へサービス中であり得る。
【００４１】
非３ＧＰＰネットワーク１１５は、トラステッド非３ＧＰＰネットワークであってもよく又は非トラステッド非３ＧＰＰネットワークであってもよい。トラステッド非３ＧＰＰネットワークは、ＣＮ又はコアネットワークノードと直接的にインタラクション可能であり、非トラステッド３ＧＰＰアクセスは、例えばｅＰＤＧ（evolved  Packet  Data  Gateway）（図４には示していない）といったゲートウェイノードを介してのみＣＮ又はコアネットワークノードとインタラクション可能である。３ＧＰＰネットワーク４０１は、３ＧＰＰアクセスネットワーク又は３ＧＰＰアクセスとして言及されてもよく、非３ＧＰＰアクセス１１５は、非３ＧＰＰアクセス又は非３ＧＰＰアクセスネットワークとして言及されてもよい。
【００４２】
３ＧＰＰネットワーク４０１は、３ＧＰＰにより仕様化されたＵＥ１０１のためのネットワークアクセスとして説明されてよく、例えばＧＥＲＡＮ、ＵＴＲＡＮ及びＥ−ＵＴＲＡＮを含み得る。非３ＧＰＰネットワーク１１５は、当該ネットワークアクセスが３ＧＰＰによって仕様化されたのではないことを意味する。非３ＧＰＰネットワーク１１５は、例えば、ＷｉＭＡＸ、ＣＤＭＡ２０００、ＷＬＡＮ又は固定ネットワークを含み得る。
【００４３】
ワイヤレス通信システム４００は、第１のゲートウェイ４０８ａ及び第２のゲートウェイ４０８ｂをさらに含み得る。これら２つのゲートウェイ４０８ａ、４０８ｂは、互いに接続されるように適合されてよい。第１のゲートウェイ４０８ａは、ＵＥ１０１へ現時点でサービス中のゲートウェイとして説明され、第２のゲートウェイ４０８ｂは、何らかの他の時点で、例えばＵＥ１０１が移動して第１のゲートウェイ４０８ａと比較して第２のゲートウェイ４０８ｂへ地理的により近くなった際にＵＥ１０１へサービスする、ように適合されるゲートウェイであり得る。ゲートウェイは、ＩＰアンカポイントとして理解されてもよい。第１のゲートウェイ４０８ａは、カレントゲートウェイとして言及されてもよく、第２のゲートウェイ４０８ｂは、他のゲートウェイとして言及されてもよい。第１のゲートウェイ４０８ａは、例えば、スタンドアローンのＨＡ（Home  Agent）、ＨＡとＰＧＷとの組み合わせ（ＨＡとＰＧＷとの組み合わせをＨＡ／ＰＧＷという）、又はＨＡとＧＧＳＮとの組み合わせであってよい。ＧＧＳＮは、“Gateway  GPRS  Support  Node”の短縮形であり、ＧＰＲＳは、“General  Packet  Radio  Services”の短縮形である。ＧＧＳＮは、ＧＰＲＳネットワークと、インターネット及びＸ．２５ネットワークのような外部のパケット交換ネットワークとの間のインターワーキングに責任を有するものとして説明されてよい。同様に、第２のゲートウェイ４０８ｂは、スタンドアローンのＨＡ、ＨＡとＰＧＷとの組み合わせ、又はＨＡとＧＧＳＮとの組み合わせ（ＨＡとＧＧＳＮとの組み合わせをＨＡ／ＧＧＳＮという）であってよい。非３ＧＰＰネットワーク１１５は、第１のゲートウェイ４０８ａへ接続されるように適合されてよく、及び恐らくは第２のゲートウェイ４０８ｂへも接続されるように適合されてよい。参照番号４０８がここで使用される場合、それは、第１のゲートウェイ４０８ａ及び第２のゲートウェイ４０８ｂのうちの任意のものへの言及である。
【００４４】
モビリティノード４１０は、ワイヤレス通信システム４００内に含まれ、３ＧＰＰネットワーク４０１、第１のゲートウェイ４０８ａ、第２のゲートウェイ４０８ｂ、及びＳＧＷ１０５へ接続されるように適合される。モビリティノード４１０は、ＭＭＥ、ＳＧＳＮ、又はＭＭＥとＳＧＳＮとの組み合わせのノードであってよい。
【００４５】
ＳＧＷ１０５は、ワイヤレス通信システム４００内に含まれ、モビリティノード４１０、第１のゲートウェイ４０８ａ、及び第２のゲートウェイ４０８ｂへ接続されるように適合される。ＳＧＷ１０５は、第１のゲートウェイ４０８ａ又は第２のゲートウェイ４０８ｂのいずれかと共設されてもよい。
【００４６】
以下のテーブル１は、ワイヤレス通信システム４００内の第１のゲートウェイ４０８ａ、第２のゲートウェイ４０８ｂ及びモビリティノード４１０のいくつかの例示的な組み合わせを示している。
【００４７】
【表１】
0006515247.tif 000002
【００４８】
第１のゲートウェイ４０８ａ、第２のゲートウェイ４０８ｂ、ＳＧＷ１０５及びモビリティノード１１０は、コアネットワーク内に含まれるものとして理解されてよく、コアネットワーク内の別個のノード若しくはエンティティとして理解されてもよく、又は、それらは例えば１つのノード内に実装される機能群であってもよい。当該１つのノードとは、例えば制御プレーンノードとして言及されてもよく、モビリティノード１１０、ＳＧＷ１０５、第１のゲートウェイ４０８ａ、第２のゲートウェイ４０８ｂ及び恐らくは他のＣＮ機能性のうちの少なくともいくつかの機能性を備える。その場合、制御プレーンノードは、コアネットワークの全ての制御プレーン機能を実質的にハンドリングするノードである。加えて、制御プレーン及びユーザプレーンの機能性が別個のノードによりハンドリングされるように、ユーザプレーンノード（図４には示していない）が存在してもよい。
【００４９】
ワイヤレス通信システム４００は、第１のゲートウェイ４０８ａ及び第２のゲートウェイ４０８ｂが接続されるように適合されるＰＤＮ４１５を含み得る。ＰＤＮ１５は、例えばインターネットといった、外部ネットワークである。前に言及したように、ＰＤＮ接続は、ＩＰアドレスにより表現されるＵＥ１０１とＰＤＮ４１５との間の関連付けである。ＰＤＮ４１５は、ＡＰＮにより識別される。
【００５０】
留意すべきこととして、ワイヤレス通信システム４００内のエンティティ間又はノード間の通信リンク又は接続は、有線リンク又は無線リンクのいずれかを含む、いかなる適した種類のものであってもよい。それらリンク又は接続は、当業者により理解されるように、タイプ及び（例えば、ＯＳＩ（Open  Systems  Interconnection）モデルにより示される）レイヤのレベルに依存していかなる適したプロトコルを使用してもよい。
【００５１】
図５ａ及び図５ｂは、方法の一例を示すシグナリング図である。図５ｂは、図５ａの続きである。図５ａは、ステップ５００〜５０８を含み、図５ｂは、ステップ５０９〜５１４を含む。ステップ５００〜５０８は、ステップ５０９〜５１４の前に実行されるべきである。図５ａ及び図５ｂの方法におけるステップ群が、これより図５ａを手始めにして説明されるであろう。図５ａの方法は、以下の説明以外のいかなる適した順序で実行されてもよい、次のステップ群のうちの少なくともいくつかを含む。
【００５２】
［ステップ５００］
本ステップは、図５ａに見られる。ＵＥ１０１は、第１のロケーションに位置し、同一のＰＤＮについて３ＧＰＰネットワーク４０１及び非３ＧＰＰネットワーク１１５の双方へ接続される。第１のロケーションは、カレントロケーションとして言及されてもよい。他の語を用いるならば、ＵＥ１０１は、３ＧＰＰネットワーク４０１への１つのＰＤＮ接続と、非３ＧＰＰネットワーク１１５への他のＰＤＮ接続とを有する。第１のロケーションにおいて、ＵＥ１０１は、３ＧＰＰネットワーク４０１への接続、及び非３ＧＰＰネットワーク１１５への接続を介して、第１のゲートウェイ４０８ａへ同時に接続される。
【００５３】
［ステップ５０１］
本ステップは、図５ａに見られる。ＵＥ１０１は、第１のロケーションから第２のロケーションへ移動する。第２のロケーションは、他のロケーションとして言及され得る。
【００５４】
［ステップ５０２］
本ステップは、図５ａに見られる。モビリティノード４１０は、ＵＥ１０１が第２のロケーションへ移動したことを検出する。その検出は、例えば、トラッキングエリア更新（Tracking  Area  Update）手続又はハンドオーバ手続といった、ＵＥモビリティ管理手続を通じて実行されてよい。そうした手続の例が、図６及び図７に示されている。本ステップは、ＵＥ１０１が第２のロケーションがどういったものであるか（例えば、第２のロケーションについての地理的座標）を判定することを包含してもよい。
【００５５】
［ステップ５０３］
本ステップは、図５ａに見られる。ＵＥ１０１が第２のロケーションへ移動したことをステップ５０２においてモビリティノード４１０が検出したことから、モビリティノード４１０は、第２のゲートウェイ４０８ｂを選択することにより、ＵＥ１０１がその第２のゲートウェイ４０８ｂへ接続する必要があることを判定する。これは、ゲートウェイ再配置として言及されてもよい。ゲートウェイ再配置は、ＵＥ１０１についてのネットワーク接続（例えば、３ＧＰＰネットワーク４０１への接続及び非３ＧＰＰネットワーク１１５への接続）の非アクティブ化を包含する。ＵＥ１０１は、第２のロケーションにいる際には、第２のゲートウェイ４０８ｂへ接続すべきである。第２のゲートウェイ４０８ｂの選択の理由は、第２のゲートウェイ４０８ｂが第２のロケーションにいるＵＥ１０１の地理的により近くに位置していることであり得る。
【００５６】
ここでのネットワーク接続の非アクティブ化への言及の際に、削除及び解放という用語が使用されてもよい。
【００５７】
第２のゲートウェイの選択は、ＤＮＳサーバ内のＤＮＳ（Domain  Name  Server）ルックアップにより実行されてもよく、モビリティノードのローカルで構成されるデータベース内の検索により実行されてもよく、又は、他のコアネットワークノード（例えば、ＰＣＲＦ（Policy  and  Charging  Rules  Function））からのクエリにより実行されてもよい。第２のゲートウェイ４０８ｂは、複数の候補としての第２のゲートウェイ４０８ｂから選択され得る。例えば、複数の候補としての第２のゲートウェイ４０８ｂ内で、第１のゲートウェイ４０８と比較すると、全てのゲートウェイが全て実質的にＵＥ１０１のより近くにいる。その場合、モビリティノード４１０は、それら候補としての第２のゲートウェイ４０８ｂのうち例えばＵＥ１０１をハンドリングするための利用可能なキャパシティを有するもの若しくは候補としての第２のゲートウェイ４０８ｂのうちでプライオリティを有するものを選択してもよく、又は他の任意の適したパラメータに基づいて選択を行ってもよい。
【００５８】
［ステップ５０４］
本ステップは、図５ａに見られる。モビリティノード４１０は、第１のゲートウェイ４０８ａへ再配置情報を送信し、第１のゲートウェイ４０８ａは、再配置情報を受信する。再配置情報は、ＵＥ１０１について第２のゲートウェイ４０８ｂへのゲートウェイ再配置を要することを指し示す。
【００５９】
再配置情報は、モビリティノード４１０から第１のゲートウェイ４０８ａへ直接的に送信されてもよく、又は、再配置情報は、ＳＧＷ１０５を介して又はＧＧＳＮを介して送信されてもよい。再配置情報は、例えば、第１のゲートウェイ４０８ａがＨＡであって、ＨＡがＧＧＳＮと共設されていないシナリオにおいて、ＧＧＳＮを介して送信されてもよい。
【００６０】
［ステップ５０５］
本ステップは、図５ａに見られる。第１のゲートウェイ４０８ａは、再配置情報を受信した場合、受信した再配置情報の確認をモビリティノード４１０へ送信し得る。モビリティノード４１０は、その再配置情報確認を受信する。再配置情報確認は、モビリティノード４１０へ直接的に送信されてもよく、又はＳＧＷ１０５を介して送信されてもよい。確認（confirmation）は、確認応答（acknowledgement）として言及されてもよい。
【００６１】
［ステップ５０６］
本ステップは、図５ａに見られる。モビリティノード４１０は、第２のゲートウェイ４０８ｂを選択すると、ＵＥ１０１の３ＧＰＰネットワーク４０１への接続を非アクティブ化するための（再アクティブ化指示を伴う）３ＧＰＰ非アクティブ化命令をＵＥ１０１へ送信する。ＵＥ１０１は、その３ＧＰＰ非アクティブ化命令を受信する。このステップ５０６は、ステップ５０３の直後に、ステップ５０４の後に、又はステップ５０５の後に実行され得る。３ＧＰＰ非アクティブ化命令は、非アクティブ化されるべき３ＧＰＰネットワーク４０１への接続のアイデンティティを含んでよい。その接続は、ＰＤＮ接続であってよい。
【００６２】
［ステップ５０７］
本ステップは、図５ａに見られる。受信される３ＧＰＰ非アクティブ化命令に基づいて、ＵＥ１０１は、３ＧＰＰネットワーク４０１への自身の接続を非アクティブ化する。
【００６３】
［ステップ５０８］
本ステップは、図５ａに見られる。ＵＥ１０１は、３ＧＰＰネットワーク４０１への自身の接続を非アクティブ化した場合、命令された通りに３ＧＰＰネットワーク４０１への自身の接続を非アクティブ化したことを確認するための３ＧＰＰ非アクティブ化確認をモビリティノード４１０へ送信し得る。モビリティノード４１０は、送信された３ＧＰＰ非アクティブ化確認を受信する。
【００６４】
次に、図５ｂに見られる方法が説明されるであろう。図５ｂの方法は、以下の説明以外のいかなる適した順序で実行されてもよい、次のステップ群のうちの少なくともいくつかを含む。
【００６５】
［ステップ５０９］
本ステップは、図５ｂに見られる。第１のゲートウェイ４０８ａは、ステップ５０４において再配置情報を受信した場合、ＵＥ１０１の３ＧＰＰネットワーク４０１への接続及び非３ＧＰＰネットワーク１１５への接続が同一のＰＤＮ向けであるかをチェックし得る。本ステップ５０９は、ステップ５０４〜５０８のいずれかの後に実行されてよい。
【００６６】
［ステップ５１０］
本ステップは、図５ｂに見られる。第１のゲートウェイ４０８は、３ＧＰＰネットワーク４０１への接続及び非３ＧＰＰネットワーク１１５への接続が同一のＰＤＮ向けであるとステップ５０９において判定した場合、非３ＧＰＰネットワーク１１５へのＵＥ１０１の接続を非アクティブ化すべきであると判定する。
【００６７】
［ステップ５１１］
本ステップは、図５ｂに見られる。ステップ５１０での決定に基づいて、第１のゲートウェイ４０８ａは、ＵＥ１０１へ非３ＧＰＰ非アクティブ化命令を送信する。ＵＥ１０１は、その非３ＧＰＰ非アクティブ化命令を受信する。非３ＧＰＰ非アクティブ化命令は、非３ＧＰＰネットワーク１１５への接続のアイデンティティを含んでよい。非３ＧＰＰネットワーク１１５への接続は、ＰＤＮ接続であってよい。
【００６８】
［ステップ５１２］
本ステップは、図５ｂに見られる。ＵＥ１０１は、ステップ５１１において命令された通りに、非３ＧＰＰネットワーク１１５への接続を非アクティブ化する。
【００６９】
［ステップ５１３］
本ステップは、図５ｂに見られる。ＵＥ１０１は、非３ＧＰＰネットワーク１１５への自身の接続を非アクティブ化した場合、非３ＧＰＰ非アクティブ化確認を第１のゲートウェイ４０８ａへ送信し得る。第１のゲートウェイ４０８ａは、その非３ＧＰＰ非アクティブ化確認を受信する。非３ＧＰＰ非アクティブ化確認は、ＵＥ１０１がステップ５１１において命令された通りに非３ＧＰＰネットワーク１１５への自身の接続を非アクティブ化したことを確認する。本ステップ５１３は、ステップ５１１の直後に、非３ＧＰＰ非アクティブ化命令の受信の確認として実行されてもよい。
【００７０】
［ステップ５１４］
本ステップは、図５ｂに見られる。ＵＥ１０１は、非３ＧＰＰネットワーク１１５への自身の接続を非アクティブ化した場合、第２のゲートウェイ４０８ｂへの接続性を始動させる。ステップ５１４は、ステップ５１２の後又はステップ５１３の後に実行されてよい。ＵＥ１０１が３ＧＰＰネットワーク４０１へ再接続される（ＵＥ１０１は、ステップ５０６において“再アクティブ化／再アタッチを要する”ことを指示されている）際、標準的なゲートウェイ選択手続が実行され、（非アクティブ化の前に選択される）第２のゲートウェイ４０８ｂが（ＵＥ１０１が非アクティブ化と再接続との間にそれほど頻繁にはロケーションを変更していない限り速やかに）あらためて選択されてもよい。
【００７１】
図６は、ＥＰＳ（Evolved  Packet  System）モビリティアーキテクチャにおけるＩＦＯＭでの接続の例示的な非アクティブ化を示すシグナリング図である。ＩＦＯＭにおいてＵＥ１０１が３ＧＰＰネットワーク４０１及び非３ＧＰＰネットワーク１１５上で同一のＰＤＮとのデータセッションを同時に有することを想起されたい。ＵＥ１０１は、ネットワークアクセスのうちのいずれかの上でデータセッションを追加し又は削除して効果的にデータをオフロードすることができる。データをオフロードするためのロジックは、（ＬＩＰＡ及びＳＩＰＴＯと比較すると）ＩＦＯＭでは、よりＵＥ中心的であってＲＡＮに対して大幅に透過的である。図６では、３ＧＰＰネットワーク４０１は、ＧＥＲＡＮ若しくはＵＴＲＡＮ又はＥ−ＵＴＲＡＮで表されている。モビリティノード４１０は、ＳＧＳＮ／ＭＭＥの組み合わせのノードで表されている。第１のゲートウェイ４０８ａはＨＡ／ＰＧＷ１の組み合わせのノードで表されており、第２のゲートウェイ４０８ｂはＨＡ／ＰＧＷ２の組み合わせのノードで表されており、非３ＧＰＰネットワーク１１５はトラステッド非３ＧＰＰネットワーク又はｅＰＤＧで表されている。以下のテーブル２は、図６の例示的なノードの概略を提供する。
【００７２】
【表２】
0006515247.tif 000003
【００７３】
図６の方法は、以下の説明以外のいかなる適した順序で実行されてもよい、次のステップ群のうちの少なくともいくつかを含む。
【００７４】
［ステップ６０１］
本ステップは、図５ａのステップ５００に対応する。ＵＥ１０１は、同一のＡＰＮについて３ＧＰＰアクセス４０１及び非３ＧＰＰアクセス１１５へ同時に接続される。ＨＡ／ＰＧＷ１  ４０８のＨＡ部分に、多重的なバインディング及びＩＰフローが登録される。ＵＥ１０１は、ＵＥ１０１の地理的に近くにあるＨＡ／ＰＧＷ１  ４０８ａへ接続される。言い換えると、ＵＥ１０１は、異なるアクセスを介する同一のＡＰＮ（例えば、ＡＰＮ＝インターネット）向けの確立済みの複数のＰＤＮ接続を同時に有する。
【００７５】
［ステップ６０２］
本ステップは、図５ａのステップ５０１〜５０３に対応する。本ステップにおいて、対象のＰＤＮの非アクティブ化をトリガするモビリティ管理関連のハンドリングが実行される。モビリティ管理関連のハンドリングの例は、トラッキングエリア更新（ＴＡＵ）、ハンドオーバ又はサービス要求であってよい。
【００７６】
ＵＥ１０１が自身のロケーションをＰＬＭＮ内で移動させると、ＳＧＳＮ／ＭＭＥ４１０がモビリティ関連の手続（例えば、ＴＡＵ）を検出する。ＳＧＳＮ／ＭＭＥ４１０は、何らかの入力に基づき、以前のＨＡ／ＰＧＷ１  ４０８ａよりもＵＥ１０１にトポロジー的に及び地理的に近い新たなＰＧＷ２  ４０８ｂを選択する目的で、対応するＰＤＮ接続の（再アクティブ化の可能性を伴う）非アクティブ化をトリガすべきであると判定する。ＳＧＳＮ／ＭＭＥ４１０により新たなＰＧＷ２  ４０８ｂの選択において使用される入力は、例えば、ＴＡＩ（Tracking  Area  Identity）、基地局ＩＤ、Ｅ−ＣＧＩ（E-UTRAN-Cell  Global  Identifier）、ＱＣＩ（QoS  Class  Identifier）、ＡＲＰ（Address  Resolution  Protocol）、ＧＢＲ（Guaranteed  Bit  Rate）、ＭＢＲ（Maximum  Bit  Rate）、ＩＭＥＩ（International  Mobile  Equipment  Identity）などであってよい。
【００７７】
［ステップ６０３］
本ステップは、図５ａのステップ５０４に対応する。ＳＧＳＮ／ＭＭＥ４１０は、セッション削除要求（Delete  Session  Request）メッセージをＳＧＷ１０５へ送信し、ＳＧＷ１０５はそのメッセージを受信する。
【００７８】
セッション削除要求メッセージは、ＰＧＷ再配置についての必要性の標識、即ち再配置情報を含む。その標識は、要ＰＧＷ再配置（PGW  Relocation  Required）を指し示す原因コード（ＣＣ：Cause  Code）又は情報エレメント（ＩＥ：Information  Element）の形式であってもよい。言い換えると、ＳＧＳＮ／ＭＭＥ４１０は、セッション削除要求メッセージ内に“要ＰＧＷ再配置”を指し示す新たな標識又は新たな原因コードを含めることにより、ＳＧＷ１０５へそうしたイベントを通知する。セッション削除要求メッセージは、ＧＴＰセッション削除要求メッセージとして言及されてもよい。
【００７９】
［ステップ６０４］
本ステップは、図５ａのステップ５０４に対応する。ＳＧＷ１０５は、ステップ６０３からのセッション削除要求メッセージを、ＵＥ１０１の移動元のＨＡ／ＰＧＷ１  ４０８ａへ転送し、又は、ＳＧＷ１０５は、プロキシバインディング更新（Proxy  Binding  Update）メッセージをＨＡ／ＰＧＷ１  ４０８ａへ送信する。ＨＡ／ＰＧＷ１  ４０８ａは、セッション削除要求メッセージ又はプロキシバインディング更新メッセージを受信する。セッション削除要求メッセージ又はプロキシバインディング更新メッセージは、ＰＧＷ再配置を要することを指し示す新たな原因コード又は情報エレメントを含む。言い換えると、ＳＧＳＮ／ＭＭＥ４１０は、セッション削除要求メッセージ又はプロキシバインディング更新メッセージ内に“要ＰＧＷ再配置”を指し示す新たな標識又は新たな原因コードを含めることにより、ＨＡ／ＰＧＷ１  ４０８ａへそうしたイベントを通知する。
【００８０】
［ステップ６０５］
本ステップは、図５ａのステップ５０５に対応する。ステップ６０４において送信されたメッセージがセッション削除要求メッセージであった場合、ＨＡ／ＰＧＷ１  ４０８ａは、ＳＧＷ１０５へセッション削除応答（Delete  Session  Response）メッセージを送信し得る。ステップ６０４において送信されたメッセージがプロキシバインディング更新メッセージであった場合、ＨＡ／ＰＧＷ１  ４０８ａは、ＳＧＷ１０５へプロキシバインディング確認応答（Proxy  Binding  Acknowledgement）メッセージを送信し得る。ステップ６０５において送信されるメッセージは、ステップ６０４におけるメッセージへの応答である。ＳＧＷ１０５は、セッション削除応答メッセージ又はプロキシバインディング確認応答メッセージを受信する。
【００８１】
［ステップ６０６］
本ステップは、図５ａのステップ５０５に対応する。ＳＧＷ１０５は、セッション削除応答メッセージをＳＧＳＮ／ＭＭＥ４１０へ送信し得る。ＳＧＳＮ／ＭＭＥ４１０は、セッション削除応答メッセージを受信する。ステップ６０６におけるメッセージは、ステップ６０３におけるメッセージへの応答である。
【００８２】
［ステップ６０７］
本ステップは、図５ｂのステップ５１１に対応する。ＨＡ／ＰＧＷ１  ４０８ａは、ＵＥ１０１へバインディング取消指示（Binding  Revocation  Indication）メッセージを送信することにより、ＵＥ１０１の非３ＧＰＰネットワーク１１５へのＰＤＮ接続を非アクティブ化する。ＵＥ１０１は、バインディング取消指示メッセージを受信し、非３ＧＰＰネットワーク１１５への接続を非アクティブ化する。
【００８３】
［ステップ６０８］
本ステップは、図５ｂのステップ５１３に対応する。ＵＥ１０１は、バインディング取消確認応答（Binding  Revocation  Acknowledge）メッセージをＨＡ／ＰＧＷ１  ４０８ａへ送信し得る。ＨＡ／ＰＧＷ１  ４０８ａは、バインディング取消確認応答メッセージを受信する。バインディング取消確認応答メッセージは、バインディング取消指示メッセージが受信されたことを指し示す、ステップ６０７におけるバインディング取消指示メッセージへの応答である。それは、非３ＧＰＰネットワーク１１５への接続が成功裏に非アクティブ化されたことをも指し示してよい。
【００８４】
なお、ＳＧＷ１０５とＰＧＷ１０８との間のＰＭＩＰベースのＳ５／Ｓ８インタフェースのケースでは、ベンダ固有の拡張を伴うＰＭＩＰプロキシバインディング更新（PMIP  Proxy  Binding  Update）について、同じ修正が適用されてよい。
【００８５】
［ステップ６０９］
コアネットワークは、続けて異なるアクセス内のリソースを非アクティブ化する。ＵＥ１０１は、モビリティノード４１０から再アクティブ化標識を受信した後に、他のＰＧＷ２  ４０８ｂを用いて、３ＧＰＰネットワーク４０１へのＰＤＮ接続を再確立し得る（及び、恐らくは非３ＧＰＰネットワーク１１５への接続の追加を伴う）。言い換えると、ステップ６０９は、異なるアクセスにおける解放の継続に関連し、最終的に、ＵＥ１０１は、３ＧＰＰネットワーク４０１へのＰＤＮ接続性（及び、恐らくは非３ＧＰＰネットワーク１１５にも）を再確立するように伝えられ得る。
【００８６】
あり得ることとして、過去の接続が非アクティブ化された後に、ＵＥ１０１が非３ＧＰＰネットワーク１１５への接続を再アクティブ化してもよい。
【００８７】
異なるアクセス内のリソースを非アクティブ化する場合、非アクティブ化されるのは、特定のＰＤＮ接続のために使用される様々なエンティティ内の全ての占有されているリソースである。それらリソースは、従って、ＰＤＮ接続として言及されてもよい。非３ＧＰＰアクセスの解放が遅延するのはステップ６０９のときである。ステップ６０７において、ＵＥ１０１は、非３ＧＰＰネットワーク１１５への接続を即座には非アクティブ化せず、但し非アクティブ化標識の受信（ステップ６０８）の確認をまず返却する。
【００８８】
図７は、ＧＰＲＳ  Ｉ−ＷＬＡＮモビリティアーキテクチャにおけるＩＦＯＭでの接続の非アクティブ化の一例を示すシグナリング図である。Ｉ−ＷＬＡＮは、“Interworking-Wireless  Local  Area  Network”の短縮形である。ＩＦＯＭにおいてＵＥ１０１が３ＧＰＰネットワーク４０１及び非３ＧＰＰネットワーク１１５上で同一のＰＤＮとのデータセッションを同時に有することを想起されたい。図７では、３ＧＰＰネットワーク４０１は、ＧＥＲＡＮ又はＵＴＲＡＮで表されている。モビリティノード４１０は、ＳＧＳＮで表されている。第１のゲートウェイ４０８ａはＨＡ／ＧＧＳＮ１の組み合わせのノードで表されており、第２のゲートウェイ４０８ｂはＨＡ／ＧＧＳＮ２で表されており、非３ＧＰＰネットワーク１１５はＰＤＧ（Packet  Data  Gateway）で表されている。
【００８９】
以下のテーブル３は、図７の例示的なノードの概略を提供する。
【００９０】
【表３】
0006515247.tif 000004
【００９１】
図７の方法は、以下の説明以外のいかなる適した順序で実行されてもよい、次のステップ群のうちの少なくともいくつかを含む。
【００９２】
［ステップ７０１］
本ステップは、図５ａのステップ５００及び図６のステップ６０１に対応する。ＵＥ１０１は、同一のＡＰＮについて３ＧＰＰアクセス４０１（例えば、ＧＥＲＡＮ又はＵＴＲＡＮ）及び非３ＧＰＰアクセス１１５へ同時に接続される。ＨＡ／ＰＧＷ１  ４０８のＨＡ部分に、多重的なバインディング及びＩＰフローが登録される。ＵＥ１０１は、ＵＥ１０１の地理的に近くにあるＨＡ／ＧＧＳＮ１  ４０８ａへ接続される。言い換えると、ＵＥ１０１は、異なるアクセスを介する同一のＡＰＮ（例えば、ＡＰＮ＝インターネット）向けの確立済みの複数のＰＤＮ接続を同時に有する。
【００９３】
［ステップ７０２］
本ステップは、図５ａのステップ５０１〜５０３及び図６のステップ６０２に対応する。本ステップにおいて、対象のＰＤＮの非アクティブ化をトリガするモビリティ管理関連のハンドリングが実行される。モビリティ管理関連のハンドリングの例は、ルーティングエリア更新（ＲＡＵ）、ハンドオーバ又はサービス要求であってよい。
【００９４】
ＵＥ１０１が自身のロケーションをＰＬＭＮ内で移動させると、ＳＧＳＮ４１０がモビリティ関連の手続（例えば、ＲＡＵ）を検出する。ＳＧＳＮ４１０は、何らかの入力に基づき、以前のＨＡ／ＧＧＳＮ  ４０８ａよりもＵＥ１０１にトポロジー的に及び地理的に近い新たなＧＧＳＮ２  ４０８ｂを選択する目的で、対応するＰＤＮ接続の（再アクティブ化の可能性を伴う）非アクティブ化をトリガすべきであると判定する。ＳＧＳＮ４１０により新たなＧＧＳＮ  ４０８ｂの選択において使用される入力は、例えば、ＲＡＩ（Routing  Area  Identity）、基地局ＩＤ、Ｅ−ＣＧＩ、ＡＲＰ、ＧＢＲ、ＭＢＲ、ＩＭＥＩなどであってよい。
【００９５】
［ステップ７０３］
本ステップは、図５ａのステップ５０４及び図６のステップ６０３〜６０４に対応する。ＳＧＳＮ４１０は、ＰＤＰコンテキスト削除要求（Delete  Packet  Data  Protocol  (PDP)  Context  Request）メッセージをＨＡ／ＧＧＳＮ１  ４０８ａへ送信する。ＨＡ／ＧＧＳＮ１  ４０８ａは、ＰＤＰコンテキスト削除要求メッセージを受信する。
【００９６】
ＰＤＰコンテキスト削除要求メッセージは、ＧＧＳＮ再配置についての必要性の標識、即ち再配置情報を含む。その標識は、要ＧＧＳＮ再配置（GGSN  Relocation  Required）を指し示すＣＣ又はＩＥの形式であってもよい。言い換えると、ＳＧＳＮ４１０は、ＰＤＰコンテキスト削除要求メッセージ内に“要ＧＧＳＮ再配置”を指し示す新たな標識又は新たな原因コードを含めることにより、ＨＡ／ＧＧＳＮ１  ４０８ａへそうしたイベントを通知する。
【００９７】
［ステップ７０４］
本ステップは、図５ａのステップ５０５及び図６のステップ６０５〜６０６に対応する。ＨＡ／ＧＧＳＮ１  ４０８ａは、ＰＤＰコンテキスト削除応答（Delete  PDP  Context  Response）メッセージをＳＧＳＮ４１０へ送信し得る。ＰＤＰコンテキスト削除応答メッセージは、ＳＧＳＮ４１０により受信される。ＰＤＰコンテキスト削除応答メッセージは、ステップ７０３におけるＰＤＰコンテキスト削除要求メッセージへの応答である。
【００９８】
［ステップ７０５］
本ステップは、図５ｂのステップ５１１及び図６のステップ６０７に対応する。ＨＡ／ＧＧＳＮ１  ４０８ａは、ＵＥ１０１へバインディング取消指示メッセージを送信することにより、ＵＥ１０１の非３ＧＰＰネットワーク１１５へのＰＤＮ接続を非アクティブ化する。ＵＥ１０１は、バインディング取消指示メッセージを受信し、非３ＧＰＰネットワーク１１５への接続を非アクティブ化する。
【００９９】
［ステップ７０６］
本ステップは、図５ｂのステップ５１３及び図６のステップ６０８に対応する。ＵＥ１０１は、バインディング取消確認応答メッセージをＨＡ／ＧＧＳＮ１  ４０８ａへ送信し得る。ＨＡ／ＧＧＳＮ１  ４０８ａは、バインディング取消確認応答メッセージを受信する。バインディング取消確認応答メッセージは、バインディング取消指示メッセージが受信されたことを指し示す、ステップ７０５におけるバインディング取消指示メッセージへの応答である。それは、非３ＧＰＰネットワーク１１５への接続が成功裏に非アクティブ化されたことをも指し示してよい。
【０１００】
［ステップ７０７］
本ステップは、図６のステップ６０９に対応する。コアネットワークは、続けて異なるアクセス内のリソースを非アクティブ化する。ＵＥ１０１は、モビリティノード４１０から再アクティブ化標識を受信した後に、他のＧＧＳＮ２  ４０８ｂを用いて、３ＧＰＰネットワーク４０１へのＰＤＮ接続を再確立し得る（及び、恐らくは非３ＧＰＰネットワーク１１５への接続の追加を伴う）。言い換えると、ステップ７０７は、異なるアクセスにおける解放の継続に関連し、最終的に、ＵＥ１０１は、３ＧＰＰネットワーク４０１へのＰＤＮ接続性（及び、恐らくは非３ＧＰＰネットワーク１１５にも）を再確立するように伝えられ得る。
【０１０１】
次に、上述した方法が、モビリティノード４１０の視点から見た形で説明されるであろう。図８は、ＵＥ１０１についてのネットワーク接続をハンドリングするための、モビリティノード４１０により実行される本方法を説明するフローチャートである。ＵＥ１０１は、３ＧＰＰネットワーク４０１への接続及び非３ＧＰＰネットワーク１１５への接続を介して同時に第１のゲートウェイ４０８ａへ接続される。図８の方法が開始する前に、モビリティノード４１０は、ＵＥ１０１のために３ＧＰＰネットワーク４０１への接続及び非３ＧＰＰネットワーク１１５への接続を確立済みである。ＵＥ１０１及び第１のゲートウェイ４０８ａは、ＩＦＯＭ又はＮＢ−ＩＦＯＭをサポートし得る。例えば、ＵＥ１０１は、ＩＦＯＭ又はＮＢ−ＩＦＯＭのサポートを指し示すために、ＰＣＯ（Protocol  Configuration  Option）手続を使用してもよい。ＩＦＯＭ又はＮＢ−ＩＦＯＭをサポートする第１のゲートウェイ４０８ａは、ＰＣＯ手続を使用して、ＩＦＯＭ又はＮＢ−ＩＦＯＭのサポートの確認を行ってもよい。第１のゲートウェイ４０８ａがＩＦＯＭ又はＮＢ−ＩＦＯＭをサポートしない場合には、ＵＥ１０１は、そのＰＤＮ接続についてＩＦＯＭ又はＮＢ−ＩＦＯＭケイパビリティを無効化してもよい。
【０１０２】
モビリティノード４１０は、ＭＭＥ若しくはＳＧＳＮであってもよく、又はＭＭＥとＳＧＳＮとの組み合わせのノードであってもよい。
【０１０３】
図８の方法は、以下の説明以外のいかなる適した順序で実行されてもよい、モビリティノード４１０により実行されるべき次のステップ群のうちの少なくともいくつかを含む。
【０１０４】
［ステップ８０１］
本ステップは、図５ａのステップ５０２、図６のステップ６０２、及び図７のステップ７０２に対応する。モビリティノード４１０は、ＵＥ１０１が他のロケーションへ移動したことを検出する。例えば、ＵＥ１０１は、第１のロケーションから第２のロケーションへ移動する。モビリティノード４１０は、ＵＥ１０１が移動したことを検出したことから、ＵＥ１０１についてモビリティ管理を実行する必要がある。
【０１０５】
［ステップ８０２］
本ステップは、図５ａのステップ５０３、図６のステップ６０２、及び図７のステップ７０２に対応する。ＵＥ１０１が他のロケーションへ移動したことが検出された場合に、モビリティノード４１０は、ＵＥ１０１の再配置先となるべき第２のゲートウェイ４０８ｂを選択し、ＵＥ１０１を選択された第２のゲートウェイ４０８ｂへ再配置すべきであると判定する。第２のゲートウェイ４０８ｂは、移動先である他のロケーションにいるＵＥ１０１のより近くであり、例えば、第２のゲートウェイ４０８ｂは、第１のロケーションと比較して第２のロケーションにより近い。第２のゲートウェイ４０８ｂへのＵＥ１０１の再配置は、ＵＥ１０１のネットワーク接続を第２のゲートウェイ４０８ｂへ再配置することとして説明されてもよい。
【０１０６】
［ステップ８０３］
本ステップは、図５ａのステップ５０４、図６のステップ６０３及びステップ６０４、並びに図７のステップ７０３に対応する。モビリティノード４１０は、第１のゲートウェイ４０８ａへ再配置情報を送信する。再配置情報は、ＵＥ１０１のために第２のゲートウェイ４０８ｂへのゲートウェイ再配置を要することを指し示す。ゲートウェイ再配置は、３ＧＰＰネットワーク４０１への接続及び非３ＧＰＰネットワーク１１５への接続の双方の非アクティブ化を含む。
【０１０７】
再配置情報は、（ＥＰＳシステムでは）ＳＧＷ１０５を介して、又は（ＧＰＲＳ  Ｉ−ＷＬＡＮシステムでは）ＧＧＳＮを介して第１のゲートウェイ４０８ａへ送信され得る。
【０１０８】
再配置情報は、モビリティノード４１０とＳＧＷ１０５との間のＧＴＰセッション削除要求メッセージ内に、及び、ＳＧＷ１０５と第１のゲートウェイ４０８ａとの間のＧＴＰセッション削除要求メッセージ又はプロキシバインディング更新メッセージ内に含まれてもよい。あるいは、再配置情報は、（ＳＧＷ１０５を介して送信されない場合）モビリティノード４１０と第１のゲートウェイ４０８ａとの間のＰＤＰコンテキスト削除要求内に含まれてもよい。
【０１０９】
再配置情報は、ＩＥ又はＣＣであってもよい。
【０１１０】
３ＧＰＰネットワーク４０１への接続の非アクティブ化は、後のステップにおける３ＧＰＰネットワーク４０１への接続の再アクティブ化を要してもよい。
【０１１１】
［ステップ８０４］
本ステップは、図５ａのステップ５０５、図６のステップ６０５及びステップ６０６、並びに図７のステップ７０４に対応する。モビリティノード４１０は、第１のゲートウェイ４０８ａから、再配置情報が受信されたことの確認を受信し得る。その確認は、再配置情報確認として言及されてもよい。
【０１１２】
再配置情報が受信されたことの上記確認は、第１のゲートウェイ４０８ａから、ＥＰＳシステムではＳＧＷ１０５を介して、又はＧＰＲＳ  Ｉ−ＷＬＡＮシステムではＧＧＳＮを介して受信され得る。
【０１１３】
再配置情報が受信されたことの上記確認は、ＳＧＷ１０５と第１のゲートウェイ４０８ａとの間のＧＴＰセッション削除応答メッセージ又はＰＭＩＰｖ６プロキシバインディング確認応答メッセージにおいて、及び、ＳＧＷ１０５とモビリティノード４１０との間のＧＴＰセッション削除応答メッセージにおいて受信されてもよい。あるいは、再配置情報が受信されたことの上記確認は、（ＳＧＷ１０５を介して送信されない場合）第１のゲートウェイ４０８ａとモビリティノード４１０との間のＰＤＰコンテキスト削除応答メッセージにおいて受信されてもよい。
【０１１４】
［ステップ８０５］
本ステップは、図５ａのステップ５０６に対応する。モビリティノード４１０は、ＵＥ１０１へ、３ＧＰＰネットワーク４０１への接続を非アクティブ化するための３ＧＰＰ非アクティブ化命令を送信し得る。
【０１１５】
ＵＥ１０１の非３ＧＰＰネットワーク１１５への接続は、ＤＳＭＩＰｖ６解放手続で非アクティブ化されてもよい。ＵＥ１０１のＩＰアドレスは、ＤＳＭＩＰｖ６解放手続のためのＨｏＡ（Home  of  Address）として使用されてもよい。そのＩＰアドレスは、第１のゲートウェイ４０８ａによりＵＥ１０１へ割り当てられてもよい。
【０１１６】
ＩＦＯＭは、ＵＥ１０１及び第１のゲートウェイ４０８ａの双方がＤＳＭＩＰｖ６をサポートすることを要する。ＭＩＰｖ６のデュアルスタックバージョンがＤＳＭＩＰｖ６として言及され得るのであり、ＲＦＣ５５５５において仕様化されている。それは、ＭＩＰｖ６の拡張であって、ＩＰｖ４ネットワークについてのサポートを追加し、デュアルスタックＵＥがＩＰｖ４ネットワークとＩＰｖ６ネットワークとの間で通信の連続性のためにモビリティを達成することを可能にする。
【０１１７】
［ステップ８０６］
本ステップは、図５ａのステップ５０８に対応する。モビリティノード４１０は、ＵＥ１０１から、受信される３ＧＰＰ非アクティブ化命令の確認を受信し得る。その確認は、３ＧＰＰ非アクティブ化確認として言及されてもよい。
【０１１８】
ＵＥ１０１についてのネットワーク接続をハンドリングするための、図５ａ、図５ｂ、図６、図７及び図８に示した方法のステップ群を実行するために、モビリティノード４１０は、図９に示したような構成を備えてもよい。ＵＥ１０１は、３ＧＰＰネットワーク４０１への接続及び非３ＧＰＰネットワーク１１５への接続を介して同時に第１のゲートウェイ４０８ａへ接続される。ＵＥ１０１及び第１のゲートウェイ４０８ａは、ＩＦＯＭ又はＮＢ−ＩＦＯＭをサポートし得る。モビリティノード４１０は、ＭＭＥ若しくはＳＧＳＮであってもよく、又はＭＭＥとＳＧＳＮとの組み合わせのノードであってもよい。
【０１１９】
ＵＥ１０１についてのネットワーク接続をハンドリングするための、図８に示した方法のステップ群を実行するために、モビリティノード４１０は、例えばモビリティ検出モジュール９０１の手段により、ＵＥ１０１が他のロケーションへ移動したことを検出する、ように適合される。モビリティ検出モジュール９０１は、モビリティ検出ユニット、モビリティ検出手段、モビリティ検出回路、検出するためのモビリティ手段などとして言及されてもよい。モビリティ検出モジュール９０１は、モビリティノード４１０のモビリティプロセッサ９０３であってもよい。
【０１２０】
モビリティノード４１０は、例えばモビリティ選択モジュール９０５の手段により、ＵＥ１０１が他のロケーションへ移動したことが検出された場合に、ＵＥ１０１の再配置先となるべき第２のゲートウェイ４０８ｂを選択する、ように適合される。第２のゲートウェイ４０８ｂは、上記他のロケーションにいるＵＥ１０１のより近くにある。モビリティ選択モジュール９０５は、モビリティ選択ユニット、モビリティ選択手段、モビリティ選択回路、選択するためのモビリティ手段などとして言及されてもよい。モビリティ選択モジュール９０５は、モビリティノード４１０のモビリティプロセッサ９０３であってもよい。
【０１２１】
モビリティノード４１０は、例えばモビリティ送信モジュール９０８の手段により、第１のゲートウェイ４０８ａへ再配置情報を送信する、ように適合される。上記再配置情報は、ＵＥ１０１のために第２のゲートウェイ４０８ｂへのゲートウェイ再配置を要することを指し示す。ゲートウェイ再配置は、３ＧＰＰネットワーク４０１への接続及び非３ＧＰＰネットワーク１１５への接続の双方の非アクティブ化を含む。非３ＧＰＰネットワーク１１５へのＵＥ１０１の接続は、ＤＳＭＩＰｖ６解放手続で非アクティブ化されてもよい。ＵＥ１０１のＩＰアドレスは、ＤＳＭＩＰｖ６解放手続のためのＨｏＡとして使用されてもよく、そのＩＰアドレスは、第１のゲートウェイ４０８ａによりＵＥ１０１へ割り当てられてもよい。再配置情報は、ＩＥ又はＣＣに含まれてもよい。上記非アクティブ化は、３ＧＰＰネットワーク４０１への接続の再アクティブ化を要してもよい。再配置情報は、第１のゲートウェイ４０８ａへ、ＳＧＷ１０５を介して又はＧＧＳＮを介して送信されてもよい。再配置情報は、モビリティノード４１０とＳＧＷ１０５との間のＧＴＰセッション削除要求メッセージ内に、及び、ＳＧＷ１０５と第１のゲートウェイ４０８ａとの間のＧＴＰセッション削除要求メッセージ又はプロキシバインディング更新メッセージ内に含まれてもよい。あるいは、再配置情報は、モビリティノード４１０と第１のゲートウェイ４０８ａとの間のＰＤＰコンテキスト削除要求内に含まれてもよい。モビリティ送信モジュール９０８は、モビリティ送信ユニット、モビリティ送信手段、モビリティ送信回路、送信するためのモビリティ手段、モビリティ出力ユニットなどとして言及されてもよい。モビリティ送信モジュール９０８は、送信機や送受信機などであってもよい。モビリティ送信モジュール９０８は、ワイヤレス又は固定通信システムのモビリティノード４１０のワイヤレス送信機であってもよい。
【０１２２】
モビリティノード４１０は、例えばモビリティ送信モジュール９０８の手段により、ＵＥ１０１へ、３ＧＰＰネットワーク４０１への接続を非アクティブ化するための３ＧＰＰ非アクティブ化命令を送信する、ようにさらに適合されてもよい。
【０１２３】
モビリティノードは、例えばモビリティ受信モジュール９１０の手段により、ＵＥ１０１から、受信される３ＧＰＰ非アクティブ化命令の確認を受信する、ようにさらに適合されてもよい。再配置情報が受信されたという上記確認は、第１のゲートウェイ４０８ａから、ＳＧＷ１０５を介して又はＧＧＳＮを介して受信され得る。再配置情報が受信されたという上記確認は、ＳＧＷ１０５と第１のゲートウェイ４０８ａとの間のＧＴＰセッション削除応答メッセージ又はＰＭＩＰｖ６プロキシバインディング確認応答メッセージにおいて、及び、ＳＧＷ１０５とモビリティノード４１０との間のＧＴＰセッション削除応答メッセージにおいて受信されてもよい。あるいは、再配置情報が受信されたことの上記確認は、第１のゲートウェイ４０８ａとモビリティノード４１０との間のＰＤＰコンテキスト削除応答メッセージにおいて受信されてもよい。モビリティ受信モジュール９１０は、モビリティ受信ユニット、モビリティ受信手段、モビリティ受信回路、受信するためのモビリティ手段、入力ユニットなどとして言及されてもよい。モビリティ受信モジュール９１０は、受信機や送受信機などであってもよい。モビリティ受信モジュール９１０は、ワイヤレス又は固定通信システムのモビリティノード４１０のワイヤレス受信機であってもよい。
【０１２４】
モビリティノード４１０は、例えばモビリティ受信モジュール９１０の手段により、第１のゲートウェイ４０８ａから、再配置情報が受信されたことの確認を受信する、ようにさらに適合されてもよい。
【０１２５】
モビリティノード４１０は、モビリティメモリ９１３を備えてもよい。モビリティメモリ９１３は、モビリティプロセッサ９０３により実行可能な命令を含む。
【０１２６】
モビリティメモリ９１３は、１つ以上のメモリユニットを含む。モビリティメモリ９１３は、データ、受信されるデータストリーム、電力レベル測定結果、再配置情報、命令、確認、ロケーション情報、接続に関する情報、ＩＥ、ＣＣ、閾値、時間ピリオド、構成、スケジューリング、及び、モビリティノード４１０において実行された場合にここでの方法を遂行するためのアプリケーション、を記憶するために使用されるように構成される。
【０１２７】
また、当業者は、上述したモビリティ検出モジュール９０１、モビリティ選択モジュール９０５、モビリティ送信モジュール９０８及びモビリティ受信モジュール９１０が、アナログ回路及びデジタル回路の組み合わせへの言及であってもよく、並びに／又は、例えばメモリ内に記憶されるソフトウェア及び／若しくはファームウェアと共に構成される１つ以上のプロセッサへの言及であってもよいことを認識するであろう。ソフトウェア及び／又はファームウェアは、モビリティプロセッサ９０３といった１つ以上のプロセッサにより実行された場合に、上述したように動作する。それらプロセッサの１つ以上と共に他のデジタルハードウェアが、単一のＡＳＩＣ（application-specific  integrated  circuit）内に含まれてもよく、又は、複数のプロセッサ及び多様なデジタルハードウェアが、個別にパッケージ化されるか又はＳｏＣ（system-on-a-chip）へ組み立てられるかに関わらず、複数の別個のコンポーネントにわたって分散されてもよい。
【０１２８】
いくつかの実施形態において、モビリティコンピュータプログラムが、少なくとも１つのプロセッサ（例えば、モビリティプロセッサ９０３）上で実行された場合に当該少なくとも１つのプロセッサに図８の方法のステップ８０１〜８０６を遂行させる命令、を含んでもよい。当該モビリティコンピュータプログラムを、電子信号、光信号、無線信号又はコンピュータ読取可能な記憶媒体のうちの１つであるモビリティキャリアが含んでもよい。
【０１２９】
次に、上述した方法が、第１のゲートウェイ４０８ａの視点から見た形で説明されるであろう。図１０は、ＵＥ１０１についてのネットワーク接続をハンドリングするための、第１のゲートウェイ４０８ａにより実行される本方法を説明するフローチャートである。ＵＥ１０１は、３ＧＰＰネットワーク４０１への接続及び非３ＧＰＰネットワーク１１５への接続を介して同時に第１のゲートウェイ４０８ａへ接続される。図１０の方法は、以下の説明以外のいかなる適した順序で実行されてもよい、第１のゲートウェイ４０８ａにより実行されるべき次のステップ群のうちの少なくともいくつかを含む。
【０１３０】
［ステップ１００１］
本ステップは、図５ａのステップ５０４、図６のステップ６０３及びステップ６０４、及び図７のステップ７０３に対応する。第１のゲートウェイ４０８ａは、モビリティノード４１０から再配置情報を受信する。再配置情報は、ＵＥ１０１のために第２のゲートウェイ４０８ｂへのゲートウェイ再配置を要することを指し示す。
【０１３１】
再配置情報は、モビリティノード４１０から、（例えばＥＰＳシステムでは）ＳＧＷ１０５を介して、又は（例えばＧＰＲＳ  Ｉ−ＷＬＡＮシステムでは）ＧＧＳＮを介して受信され得る。
【０１３２】
再配置情報は、モビリティノード４１０とサービングゲートウェイＳＧＷ１０５との間のＧＴＰセッション削除要求メッセージ内に、及び、ＳＧＷ１０５と第１のゲートウェイ４０８ａとの間のＧＴＰセッション削除要求メッセージ又はＰＭＩＰｖ６プロキシバインディング更新メッセージ内に含まれてもよい。あるいは、再配置情報は、モビリティノード４１０と第１のゲートウェイ４０８ａとの間のＰＤＰコンテキスト削除要求内に含まれてもよい。
【０１３３】
再配置情報は、ＩＥ又はＣＣであってもよい。
【０１３４】
［ステップ１００２］
本ステップは、図５ａのステップ５０５、図６のステップ６０５及びステップ６０６、並びに図７のステップ７０４に対応する。第１のゲートウェイ４０８ａは、モビリティノード４１０へ、再配置情報が受信されたという再配置情報確認を送信し得る。
【０１３５】
再配置情報が受信されたという上記確認は、モビリティノード４１０へ、ＳＧＷ１０５を介して又はＧＧＳＮを介して送信され得る。
【０１３６】
再配置情報が受信されたという上記確認は、第１のゲートウェイ４０８ａとＳＧＷ１０５との間のセッション削除応答メッセージ又はプロキシバインディング確認応答メッセージにおいて、及び、ＳＧＷ１０５とモビリティノード４１０との間のセッション削除応答メッセージにおいて送信されてもよい。あるいは、再配置情報が受信されたという上記確認は、第１のゲートウェイ４０８ａとモビリティノード４１０との間のＰＤＰコンテキスト削除応答メッセージにおいて送信される。
【０１３７】
［ステップ１００３］
本ステップは、図５ｂのステップ５０９に対応する。第１のゲートウェイ４０８ａは、第１のゲートウェイ４０８ａが同一のＰＤＮについて３ＧＰＰ接続及び非３ＧＰＰ接続の双方を有するかを判定する。
【０１３８】
第１のゲートウェイ４０８ａは、同一のＰＤＮについて３ＧＰＰ接続及び非３ＧＰＰ接続の双方を有するかを判定する前に、ＨｏＡが解放されるかをチェックしてもよい。ＨｏＡが解放される場合、第１のゲートウェイ４０８ａは、例えば解放されるＨｏＡについて同一のＰＤＮ向けの３ＧＰＰ接続及び非３ＧＰＰ接続の双方を有するかを判定する。
【０１３９】
ＨｏＡが解放されない場合、即ち、ＣｏＡ（Care  of  Address）のみが解放される場合、第１のゲートウェイ４０８ａ（例えば、ＧＧＳＮ）は、非３ＧＰＰネットワーク１１５へ向けた接続の非アクティブ化をトリガしないものとする。なぜなら、このケースでは３ＧＰＰネットワーク４０１は外部リンクとして使用されるのであり、非３ＧＰＰネットワーク１１５においてＨｏＡを保持しつつゲートウェイ４０８を変更することが可能だからである。
【０１４０】
しかし、いくつかのケースでは、３ＧＰＰネットワーク４０１は、ホームリンクであるかもしれず（特に、３ＧＰＰはＥＰＣネットワークにおいてＨＡ／ＰＧＷが共設されるケースについてそれを必須としている）、そのため、ここでは上記チェックはゲートウェイ４０８により省略されてもよい。なぜなら、ゲートウェイ４０８は、３ＧＰＰネットワーク４０１がホームリンクである場合には、ＳＧＳＮ／ＭＭＥ４１０から解放メッセージを受信することにより、ＨｏＡが解放されることを既に知得しているからである。
【０１４１】
［ステップ１００４］
本ステップは、図５ｂのステップ５１０に対応する。第１のゲートウェイ４０８ａが３ＧＰＰ接続及び非３ＧＰＰ接続の双方を有する場合に、第１のゲートウェイ４０８ａは、受信される再配置情報に基づいて、非３ＧＰＰネットワーク１１５への接続が非アクティブ化されるべきであるかを判定する。
【０１４２】
［ステップ１００５］
本ステップは、図５ｂのステップ５１１、図６のステップ６０７、及び図７のステップ７０５に対応する。第１のゲートウェイ４０８ａは、ＵＥ１０１へ、その非３ＧＰＰネットワーク１１５への接続を非アクティブ化するための非３ＧＰＰ非アクティブ化命令を送信する。非３ＧＰＰ非アクティブ化命令は、バインディング取消指示メッセージにおいて送信され得る。
【０１４３】
［ステップ１００６］
本ステップは、図５ｂのステップ５１３、図６のステップ６０８、及び図７のステップ７０６に対応する。第１のゲートウェイ４０８ａは、ＵＥ１０１から、非３ＧＰＰネットワーク１１５への接続が非アクティブ化されたという非３ＧＰＰ非アクティブ化確認を受信し得る。それは、非３ＧＰＰ非アクティブ化命令がＵＥ１０１により受信されたという確認として説明されてもよい。非３ＧＰＰ非アクティブ化確認は、バインディング取消確認応答メッセージにおいて受信され得る。
【０１４４】
ＵＥ１０１についてのネットワーク接続をハンドリングするための、図５ａ、図５ｂ、図６、図７及び図１０に示した方法のステップ群を実行するために、第１のゲートウェイ４０８ａは、図１１に示したような一例としての構成を備えてもよい。ＵＥ１０１は、３ＧＰＰネットワーク４０１への接続及び非３ＧＰＰネットワーク１１５への接続を介して同時に第１のゲートウェイ４０８ａへ接続される。ＵＥ１０１及び第１のゲートウェイ４０８ａは、ＩＦＯＭ又はＮＢ−ＩＦＯＭをサポートし得る。第１のゲートウェイ４０８ａは、スタンドアローンのＨＡ、ＨＡとＰＧＷとの組み合わせ、又はＨＡとＧＧＳＮとの組み合わせであってもよい。
【０１４５】
ＵＥ１０１についてのネットワーク接続をハンドリングするための、図１０に示した方法のステップ群を実行するために、第１のゲートウェイ４０８ａは、例えばゲートウェイ受信モジュール１１０１の手段により、モビリティノード４１０から再配置情報を受信する、ように適合される。再配置情報は、ＵＥ１０１のために第２のゲートウェイ４０８ｂへのゲートウェイ再配置を要することを指し示す。再配置情報は、モビリティノード４１０から、ＳＧＷ１０５を介して又はＧＧＳＮを介して受信され得る。再配置情報は、モビリティノード４１０とサービングゲートウェイＳＧＷ１０５との間のＧＴＰセッション削除要求メッセージ内に、及び、ＳＧＷ１０５と第１のゲートウェイ４０８ａとの間のＧＴＰセッション削除要求メッセージ又はＰＭＩＰｖ６プロキシバインディング更新メッセージ内に含まれてもよい。あるいは、再配置情報は、モビリティノード４１０と第１のゲートウェイ４０８ａとの間のＰＤＰコンテキスト削除要求内に含まれてもよい。再配置情報は、ＩＥ又はＣＣであってもよい。ゲートウェイ受信モジュール１１０１は、ゲートウェイ受信ユニット、ゲートウェイ受信手段、ゲートウェイ受信回路、受信するためのゲートウェイ手段、ゲートウェイ入力ユニットなどとして言及されてもよい。ゲートウェイ受信モジュール１１０１は、受信機や送受信機などであってもよい。ゲートウェイ受信モジュール１１０１は、ワイヤレス又は固定通信システムの第１のゲートウェイ４０８ａのワイヤレス受信機であってもよい。
【０１４６】
第１のゲートウェイ４０８ａは、例えばゲートウェイ判定モジュール１１０３の手段により、第１のゲートウェイ４０８ａが同一のＰＤＮについて３ＧＰＰ接続及び非３ＧＰＰ接続の双方を有するかを判定する、ように適合される。ゲートウェイ判定モジュール１１０３は、ゲートウェイ判定ユニット、ゲートウェイ判定手段、ゲートウェイ判定回路、判定するためのゲートウェイ手段、などとして言及されてもよい。ゲートウェイ判定モジュール１１０３は、第１のゲートウェイ４０８ａのゲートウェイプロセッサ１１０５であってもよい。
【０１４７】
第１のゲートウェイ４０８ａは、例えばゲートウェイ判定モジュール１１０３の手段により、第１のゲートウェイ４０８ａが３ＧＰＰ接続及び非３ＧＰＰ接続の双方を有する場合に、受信される再配置情報に基づいて、非３ＧＰＰネットワーク１１５への接続が非アクティブ化されるべきであるかを判定する、ように適合される。
【０１４８】
第１のゲートウェイ４０８ａは、例えばゲートウェイ送信モジュール１１０８の手段により、ＵＥ１０１へ、その非３ＧＰＰネットワーク１１５への接続を非アクティブ化するための非３ＧＰＰ非アクティブ化命令を送信する、ように適合される。非３ＧＰＰ非アクティブ化命令は、バインディング取消指示メッセージにおいて送信され得る。ＵＥ１０１の非３ＧＰＰネットワーク１１５への接続は、ＤＳＭＩＰｖ６解放手続で非アクティブ化されてもよい。ＵＥ１０１のＩＰアドレスは、ＤＳＭＩＰｖ６解放手続のためのＨｏＡとして使用されてもよい。そのＩＰアドレスは、第１のゲートウェイ４０８ａによりＵＥ１０１へ割り当てられてもよい。ゲートウェイ送信モジュール１１０８は、ゲートウェイ送信ユニット、ゲートウェイ送信手段、ゲートウェイ送信回路、送信するためのゲートウェイ手段、ゲートウェイ出力ユニットなどとして言及されてもよい。ゲートウェイ送信モジュール１１０８は、送信機や送受信機などであってもよい。ゲートウェイ送信モジュール１１０８は、ワイヤレス又は固定通信システムの第１のゲートウェイ４０８ａのワイヤレス送信機であってもよい。
【０１４９】
第１のゲートウェイ４０８ａは、例えばゲートウェイ送信モジュール１１０８の手段により、モビリティノード４１０へ、再配置情報が受信されたという再配置情報確認を送信する、ようにさらに適合されてもよい。再配置情報確認は、モビリティノード４１０へ、ＳＧＷ１０５を介して又はＧＧＳＮを介して送信され得る。再配置情報確認は、第１のゲートウェイ４０８ａとＳＧＷ１０５との間のセッション削除応答メッセージ又はプロキシバインディング確認応答メッセージにおいて、及び、ＳＧＷ１０５とモビリティノード４１０との間のセッション削除応答メッセージにおいて送信されてもよい。あるいは、再配置情報確認は、第１のゲートウェイ４０８ａとモビリティノード４１０との間のＰＤＰコンテキスト削除応答メッセージにおいて送信されてもよい。
【０１５０】
第１のゲートウェイ４０８ａは、例えばゲートウェイ受信モジュール１１０１の手段により、ＵＥ１０１から、非３ＧＰＰネットワーク１１５への接続が非アクティブ化されたという非３ＧＰＰ非アクティブ化確認を受信する、ようにさらに適合されてもよい。非３ＧＰＰ非アクティブ化確認は、バインディング取消確認応答メッセージにおいて受信され得る。
【０１５１】
第１のゲートウェイ４０８ａは、ゲートウェイメモリ１１１０を備えてもよい。ゲートウェイメモリ１１１０は、ゲートウェイプロセッサ１１０５により実行可能な命令を含む。ゲートウェイメモリ１１１０は、１つ以上のメモリユニットを含む。ゲートウェイメモリ１１１０は、データ、受信されるデータストリーム、電力レベル測定結果、再配置情報、命令、確認、ロケーション情報、接続に関する情報、ＩＥ、ＣＣ、閾値、時間ピリオド、構成、スケジューリング、及び、第１のゲートウェイ４０８ａにおいて実行された場合にここでの方法を遂行するためのアプリケーション、を記憶するために使用されるように構成される。
【０１５２】
また、当業者は、上述したゲートウェイ受信モジュール１１０１、ゲートウェイ判定モジュール１１０３及びゲートウェイ送信モジュール１１０８が、アナログ回路及びデジタル回路の組み合わせへの言及であってもよく、並びに／又は、例えばメモリ内に記憶されるソフトウェア及び／若しくはファームウェアと共に構成される１つ以上のプロセッサへの言及であってもよいことを認識するであろう。ソフトウェア及び／又はファームウェアは、ゲートウェイプロセッサ１１０５といった１つ以上のプロセッサにより実行された場合に、上述したように動作する。それらプロセッサの１つ以上と共に他のデジタルハードウェアが、単一のＡＳＩＣ内に含まれてもよく、又は、複数のプロセッサ及び多様なデジタルハードウェアが、個別にパッケージ化されるか又はＳｏＣへ組み立てられるかに関わらず、複数の別個のコンポーネントにわたって分散されてもよい。
【０１５３】
いくつかの実施形態において、ゲートウェイコンピュータプログラムが、少なくとも１つのプロセッサ（例えば、ゲートウェイプロセッサ１１０５）上で実行された場合に当該少なくとも１つのプロセッサに図１０の方法のステップ１００１〜１００６を遂行させる命令、を含んでもよい。当該ゲートウェイコンピュータプログラムを、電子信号、光信号、無線信号又はコンピュータ読取可能な記憶媒体のうちの１つであるゲートウェイキャリアが含んでもよい。
【０１５４】
次に、上述した方法が、ＳＧＷ１０５の視点から見た形で説明されるであろう。図１２は、ＵＥ１０１についてのネットワーク接続をハンドリングするための、ＳＧＷ１０５により実行される本方法を説明するフローチャートである。ＵＥ１０１は、３ＧＰＰネットワーク４０１への接続及び非３ＧＰＰネットワーク１１５への接続を介して同時に第１のゲートウェイ４０８ａへ接続される。図１２の方法は、以下の説明以外のいかなる適した順序で実行されてもよい、ＳＧＷ１０５により実行されるべき次のステップ群のうちの少なくともいくつかを含む。
【０１５５】
［ステップ１２０１］
本ステップは、図５ａのステップ５０４及び図６のステップ６０３に対応する。ＳＧＷ１０５は、モビリティノード４１０から再配置情報を受信し得る。再配置情報は、セッション削除要求メッセージにおいて受信されてもよい。再配置情報は、ゲートウェイ再配置を要することを指し示す、ＩＥ又はＣＣの形式であってもよい。
【０１５６】
［ステップ１２０２］
本ステップは、図５ａのステップ５０４及び図６のステップ６０４に対応する。ＳＧＷ１０５は、再配置情報を第１のゲートウェイ４０８ａへ送信し得る。これは、ＳＧＷ１０５が再配置情報を第１のゲートウェイ４０８ａへ転送することとして説明されてもよい。再配置情報は、セッション削除要求メッセージにおいて又はプロキシバインディング更新メッセージにおいて第１のゲートウェイ４０８ａへ送信され得る。再配置情報は、ゲートウェイ再配置を要することを指し示す、ＩＥ又はＣＣの形式であってもよい。
【０１５７】
［ステップ１２０３］
本ステップは、図５ａのステップ５０５及び図６のステップ６０５に対応する。ＳＧＷ１０５は、再配置情報の受信を確認する再配置情報確認を第１のゲートウェイ４０８ａから受信し得る。再配置情報確認は、セッション削除応答メッセージにおいて又はプロキシバインディング確認応答メッセージにおいて受信され得る。
【０１５８】
［ステップ１２０４］
本ステップは、図５ａのステップ５０５及び図６のステップ６０６に対応する。ＳＧＷ１０５は、再配置情報確認をモビリティノード４１０へ送信し得る。これは、ＳＧＷ１０５がステップ１２０３からの再配置情報確認をモビリティノード４１０へ転送することとして説明されてもよい。再配置情報確認は、セッション削除応答メッセージにおいて送信され得る。
【０１５９】
図１３は、モビリティノード４１０、ＳＧＷ１０５及びゲートウェイ４０８の一例を示す概略ブロック図である。前に言及したように、モビリティノード４１０は、（図１３ではＣＰＵ（Central  Processing  Unit）として示されている）モビリティプロセッサ９０３と、（図１３ではＭＥＭとして示されている）モビリティメモリ９１３とを備える。モビリティノード４１０は、例えばＳＧＷ１０５及びゲートウェイ４０８といった他のノードに対するモビリティノード４１０のインタフェースとして適合されるインタフェース（ＩＦ）１３０１をも備えてもよい。モビリティノード４１０とゲートウェイ４０８との間のインタフェースは、Ｇｎ／ＧＰインタフェースであってもよく、モビリティノード４１０とＳＧＷ１０５との間のインタフェースは、Ｓ１１又はＳ４インタフェースであってもよく、及び、モビリティノード４１０と例えばｅＮＢとの間のインタフェースは、Ｓ１−ＭＭＥインタフェース又はＧｂ／Ｉｕインタフェースであってもよい。
【０１６０】
ゲートウェイ４０８は、（図１３ではＣＰＵとして示されている）ゲートウェイプロセッサ１１０５と、（図１３ではＭＥＭとして示されている）ゲートウェイメモリ１１１０とを備える。ゲートウェイ４０８は、例えばＳＧＷ１０５及びモビリティノード４１０といった他のノードに対するゲートウェイ４０８のインタフェースとして適合されるインタフェース（ＩＦ）１３０３をも備えてもよい。ゲートウェイ４０８とＳＧＷ１０５との間のインタフェースは、Ｓ５又はＳ８インタフェースであってもよく、ゲートウェイ４０８と外部ネットワーク（例えば、ＰＤＮ）との間のインタフェースは、Ｇｉ又はＳＧｉインタフェースであってもよい。
【０１６１】
ＳＧＷ１０５は、（図１３ではＣＰＵとして示されている）ＳＧＷプロセッサ１３０５と、（図１３ではＭＥＭとして示されている）ＳＧＷメモリ１３０８と、例えばゲートウェイ４０８及びモビリティノード４１０といった他のノードに対するＳＧＷ１０５のインタフェースとして適合されるＩＦ１３１０とを備える。ＳＧＷ１０５とｅＮＢとの間のインタフェースは、Ｓ１−Ｕインタフェースであってもよい。
【０１６２】
前に言及したように、図４、図９、図１１及び図１２に示したノード及びエンティティは、別個のユニットに実装されてもよく、又は、それらは、ワイヤレス通信ネットワーク４００内の１つ以上の共通的なエンティティ内の機能として実装されてもよい。
【０１６３】
ＵＥ１０１についてのネットワーク接続をハンドリングするための本仕組みは、ここでの実施形態の機能を実行するためのコンピュータプログラムコードと一緒に、図９に描いたモビリティノード構成内のモビリティプロセッサ９０３及び図１１に描いたゲートウェイノード構成内のゲートウェイプロセッサ１１０５といった１つ以上のプロセッサを通じて実装されてよい。プロセッサは、例えば、ＤＳＰ（Digital  Signal  Processor）、ＡＳＩＣプロセッサ、ＦＰＧＡ（Field-programmable  gate  array）プロセッサ、又はマイクロプロセッサであってよい。上で言及したプログラムコードは、例えば、モビリティノード４１０及び第１のゲートウェイ４０８ａのうちの少なくとも１つへロードされた場合にここでの実施形態を実行するためのコンピュータプログラムコードを搬送するデータキャリアの形式の、コンピュータプログラムプロダクトとして提供されてもよい。１つのそうしたキャリアは、ＣＤ  ＲＯＭディスクの形式であってもよい。しかしながら、メモリスティックといった他のデータキャリアでも実現可能である。コンピュータプログラムコードは、さらに、サーバ上の純粋なプログラムコードとして提供され、モビリティノード４１０及び第１のゲートウェイ４０８ａのうちの少なくとも１つへダウンロードされることができる。
【０１６４】
要約すると、ここでの実施形態は、ＩＦＯＭ又はＮＢ−ＩＦＯＭが配備される場合のゲートウェイ４０８の再配置の可能性を提供し、それにより、ユーザプレーン送信が最適化され、古い又は以前のゲートウェイ（例えば、第１のゲートウェイ４０８ａ）及びそのピア内に行き場の無いリソースが生じることが回避される。他の語を用いるならば、それら実施形態は、ＳＩＰＴＯを伴うＩＦＯＭ又はＮＢ−ＩＦＯＭにおけるＰＤＮの切断に関連する。
【０１６５】
非３ＧＰＰ及び３ＧＰＰインターワーキングアーキテクチャにおいてＩＦＯＭ又はＮＢ−ＩＦＯＭが使用される場合、ＰＤＮ接続の切断は、３ＧＰＰアクセス４０１の解放と共に非３ＧＰＰアクセス１１５を解放することにより、行われる。これは、モビリティノード４１０が３ＧＰＰアクセス４０１を解放すると判定した場合に第１のゲートウェイ４０８ａへ特別な標識（新たな原因コード又は新たな情報エレメント）を送信することにより達成され得る。そうした標識を受信した後、第１のゲートウェイ４０８ａは、例えばＤＳＭＩＰｖ６解放手続又は（例えばＮＢ−ＩＦＯＭといった）何らかの他の適した解放手続を実行することにより、非３ＧＰＰアクセス４０１をさらに解放することになる。
【０１６６】
（図６のステップ６０７及び図７のステップ７０５に描いたような）クライアントベースの解決策を伴うＩＦＯＭについて、ＩＰフローモビリティのためにＵＥ１０１によりＤＳＭＩＰｖ６がサポートされ及び使用されるものとされる。ＮＢ−ＩＦＯＭについては、ＤＳＭＩＰｖ６を要しない。ＮＢ−ＩＦＯＭでは、非３ＧＰＰネットワーク１１５内の他の既存のプロトコルが解放手続のために再利用される。ここでの実施形態は、上述した実施形態に限定されない。多様な変形例、修正例及び均等物が使用されてよい。従って、上の実施形態は、それら実施形態のスコープを限定するものとして受け取られるべきではなく、そのスコープは添付の特許請求の範囲により定義される。
【０１６７】
強調されるべきこととして、本明細書で使用される場合の“含む／備える（comprises/comprising）”との用語は、記述された特徴、整数、ステップ又はコンポーネントの存在を特定するために用いられているが、１つ以上の他の特徴、整数、ステップ、コンポーネント若しくはそれらの集合の存在又は追加を除外しない。また、エレメントに先立つ語である“a”又は“an”は、そうしたエレメントの複数の存在を排除しないことにも留意すべきである。
【０１６８】
ここで使用される“ように適合される”との用語は、“ように配置される”、“ように構成される”、“することが可能な”又は“ように動作可能な”として言及されてもよい。
【０１６９】
また、強調されるべきこととして、添付の特許請求の範囲において定義される方法のステップは、ここでの実施形態から逸脱することなく、特許請求の範囲においてそれらが現れる順序以外の他の順序で実行されてもよい。
【図１】
0006515247.tif 000005
【図２】
0006515247.tif 000006
【図３】
0006515247.tif 000007
【図４】
0006515247.tif 000008
【図５ａ】
0006515247.tif 000009
【図５ｂ】
0006515247.tif 000010
【図６】
0006515247.tif 000011
【図７】
0006515247.tif 000012
【図８】
0006515247.tif 000013
【図９】
0006515247.tif 000014
【図１０】
0006515247.tif 000015
【図１１】
0006515247.tif 000016
【図１２】
0006515247.tif 000017
【図１３】
0006515247.tif 000018